(57)【特許請求の範囲】
【請求項１】
ワイヤレス通信の方法であって、
ユーザ機器（ＵＥ）が、コンテンション・ベースのキャリアのフレームの少なくとも一部のためのフレーム・フォーマット・インジケータを基地局から受信することと、
前記ＵＥが、前記基地局から受信した前記フレーム・フォーマット・インジケータに基づいて、前記コンテンション・ベースのキャリアに関わる最小限のダウンリンク送信期間を決定することと、
前記ＵＥが、前記最小限のダウンリンク送信期間に基づいて、前記フレームのダウンリンク部分を受信することと、
を備える、方法。
【請求項２】
前記ＵＥが、次のアップリンク送信期間の第２のインジケータをさらに受信する、請求項１に記載の方法。
【請求項３】
前記フレーム・フォーマット・インジケータまたは前記第２のインジケータのうちの少なくとも１つは、ダウンリンク制御情報（ＤＣＩ）において受信される、請求項２に記載の方法。
【請求項４】
前記ＵＥが、前記最小限のダウンリンク送信期間の終了の前に前記コンテンション・ベースのキャリアに関わる前記ＵＥにおいてアップリンク・グラントを受信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記ＵＥが、前記アップリンク・グラントにしたがって前記少なくとも１つのアップリンク・リソースにおいて送信することと、
をさらに備える、請求項１に記載の方法。
【請求項５】
前記ＵＥが、前記少なくとも１つのアップリンク・サブフレームの後にダウンリンク・チャネル使用ビーコン信号（ＣＵＢＳ）をモニタすること
をさらに備える、請求項４に記載の方法。
【請求項６】
前記アップリンク・グラントは、前記コンテンション・ベースのキャリアまたは非コンテンション・キャリアのうちの１つにおいて受信される、請求項４に記載の方法。
【請求項７】
前記ＵＥが、前記フレームの前記ダウンリンク部分の後にダウンリンク・チャネル使用ビーコン信号（ＣＵＢＳ）をモニタすること
をさらに備える、請求項１に記載の方法。
【請求項８】
前記ＵＥが前記ダウンリンク部分の終了の前にアップリンク・グラントを受信しない場合に、前記ダウンリンク部分のダウンリンク・サブフレームの後に、および、
前記ＵＥが前記ダウンリンク・サブフレームの前記終了の前に前記アップリンク・グラントを受信する場合に、前記フレームの少なくとも１つのアップリンク・サブフレームの後に、
前記ＵＥが、チャネル使用ビーコン信号（ＣＵＢＳ）をモニタすること、
ここにおいて、前記アップリンク・グラントは、前記少なくとも１つのアップリンク・サブフレームを特定する、
をさらに備える、請求項１に記載の方法。
【請求項９】
ワイヤレス通信のための装置であって、
ユーザ機器（ＵＥ）におけるコンテンション・ベースのキャリアのフレームの少なくとも一部のためのフレーム・フォーマット・インジケータを基地局から受信するための手段と、
前記基地局から受信した前記フレーム・フォーマット・インジケータに基づいて、前記コンテンション・ベースのキャリアに関わる最小限のダウンリンク送信期間を決定するための手段と、
前記最小限のダウンリンク送信期間に基づいて、前記フレームのダウンリンク部分を受信するための手段と、
を備える、装置。
【請求項１０】
受信するための前記手段は、次のアップリンク送信期間の第２のインジケータをさらに受信するように構成される、請求項９に記載の装置。
【請求項１１】
前記フレーム・フォーマット・インジケータまたは前記第２のインジケータのうちの少なくとも１つは、ダウンリンク制御情報（ＤＣＩ）において受信される、請求項１０に記載の装置。
【請求項１２】
前記最小限のダウンリンク送信期間の終了の前に前記コンテンション・ベースのキャリアに関わる前記ＵＥにおいてアップリンク・グラントを受信するための手段と、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいて送信するための手段と、
をさらに備える、請求項９に記載の装置。
【請求項１３】
ダウンリンク・チャネル使用ビーコン信号（Ｄ−ＣＵＢＳ）をモニタするための手段をさらに備え、ここにおいて、モニタするための前記手段は、
前記ＵＥが前記ダウンリンク部分の終了の前にアップリンク・グラントを受信しない場合に、前記ダウンリンク部分の前記ダウンリンク・サブフレームの後に、および、
前記ＵＥが前記ダウンリンク・サブフレームの前記終了の前に前記アップリンク・グラントを受信する場合に、前記フレームの少なくとも１つのアップリンク・サブフレームの後に、
前記Ｄ−ＣＵＢＳをモニタするように構成されており、
ここにおいて、前記アップリンク・グラントは、前記少なくとも１つのアップリンク・サブフレームを特定する、
をさらに備える、請求項１１に記載の装置。
【請求項１４】
ワイヤレス通信のための装置であって、
メモリと、
前記メモリに結合され、
ユーザ機器（ＵＥ）におけるコンテンション・ベースのキャリアのフレームの少なくとも一部のためのフレーム・フォーマット・インジケータを基地局から受信することと、
前記基地局から受信した前記フレーム・フォーマット・インジケータに基づいて、前記コンテンション・ベースのキャリアに関わる最小限のダウンリンク送信期間を決定することと、
前記最小限のダウンリンク送信期間に基づいて、前記フレームのダウンリンク部分を受信することと、
を行うように構成されている少なくとも１つのプロセッサと
を備える、装置。
【請求項１５】
前記少なくとも１つのプロセッサは、次のアップリンク送信期間の第２のインジケータを受信するようにさらに構成されている、請求項１４に記載の装置。
【請求項１６】
前記フレーム・フォーマット・インジケータまたは前記第２のインジケータのうちの少なくとも１つは、ダウンリンク制御情報（ＤＣＩ）において受信される、請求項１５に記載の装置。
【請求項１７】
前記少なくとも１つのプロセッサは、
前記最小限のダウンリンク送信期間の終了の前に前記コンテンション・ベースのキャリアに関わる前記ＵＥにおいてアップリンク・グラントを受信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいて送信することと、
を行うようにさらに構成されている、請求項１４に記載の装置。
【請求項１８】
前記少なくとも１つのプロセッサは、
前記ＵＥが前記ダウンリンク部分の終了の前にアップリンク・グラントを受信しない場合に、前記ダウンリンク部分の前記ダウンリンク・サブフレームの後に、および、
前記ＵＥが前記ダウンリンク・サブフレームの前記終了の前に前記アップリンク・グラントを受信する場合に、前記フレームの少なくとも１つのアップリンク・サブフレームの後に、
ダウンリンク・チャネル使用ビーコン信号（Ｄ−ＣＵＢＳ）をモニタするようにさらに構成されており、
ここにおいて、前記アップリンク・グラントは、前記少なくとも１つのアップリンク・サブフレームを特定する、請求項１４に記載の装置。
【請求項１９】
ワイヤレス通信のためのコンピュータ実行可能コードを記憶するコンピュータ可読媒体であって、
ユーザ機器（ＵＥ）におけるコンテンション・ベースのキャリアのフレームの少なくとも一部のためのフレーム・フォーマット・インジケータを基地局から受信することと、
前記基地局から受信した前記フレーム・フォーマット・インジケータに基づいて、前記コンテンション・ベースのキャリアに関わる最小限のダウンリンク送信期間を決定することと、
前記最小限のダウンリンク送信期間に基づいて、前記フレームのダウンリンク部分を受信することと、
を行うためのコードを備える、コンピュータ可読媒体。
【請求項２０】
次のアップリンク送信期間の第２のインジケータを受信するためのコードをさらに備える、請求項１９に記載のコンピュータ可読媒体。
【請求項２１】
前記フレーム・フォーマット・インジケータまたは前記第２のインジケータのうちの少なくとも１つは、ダウンリンク制御情報（ＤＣＩ）において受信される、請求項２０に記載のコンピュータ可読媒体。
【請求項２２】
前記最小限のダウンリンク送信期間の終了の前に前記コンテンション・ベースのキャリアに関わる前記ＵＥにおいてアップリンク・グラントを受信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいて送信することと、
を行うためのコードをさらに備える、請求項１９に記載のコンピュータ可読媒体。
【請求項２３】
前記ＵＥが前記ダウンリンク部分の終了の前にアップリンク・グラントを受信しない場合に、前記ダウンリンク部分の前記ダウンリンク・サブフレームの後に、および、
前記ＵＥが前記ダウンリンク・サブフレームの前記終了の前に前記アップリンク・グラントを受信する場合に、前記フレームの少なくとも１つのアップリンク・サブフレームの後に、
ダウンリンク・チャネル使用ビーコン信号（Ｄ−ＣＵＢＳ）をモニタすること
を行うためのコードをさらに備え、
ここにおいて、前記アップリンク・グラントは、前記少なくとも１つのアップリンク・サブフレームを特定する、請求項１９に記載のコンピュータ可読媒体。
【請求項２４】
基地局におけるワイヤレス通信の方法であって、
前記基地局が、フレームの少なくとも一部のためのフレーム・フォーマット・インジケータを送信することと、ここにおいて、前記フレーム・フォーマット・インジケータは、コンテンション・ベースのキャリアに関わる最小限のダウンリンク送信期間を特定する、
前記基地局が、前記最小限のダウンリンク送信期間に基づいて、前記フレームのダウンリンク部分を送信することと、
を備える、方法。
【請求項２５】
前記基地局が、前記ダウンリンク部分の終了の前に前記コンテンション・ベースのキャリアに関わるユーザ機器（ＵＥ）にアップリンク・グラントを送信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記基地局が、前記アップリンク・グラントにしたがって前記少なくとも１つのアップリンク・リソースにおいてデータ送信を受信することと、
をさらに備え、請求項２４に記載の方法。
【請求項２６】
前記アップリンク・グラントは、前記コンテンション・ベースのキャリアまたは非コンテンション・キャリアのうちの１つにおいて送信される、請求項２５に記載の方法。
【請求項２７】
基地局におけるワイヤレス通信のための装置であって、
フレームの少なくとも一部のためのフレーム・フォーマット・インジケータを前記基地局から送信するための手段と、ここにおいて、前記フレーム・フォーマット・インジケータは、コンテンション・ベースのキャリアに関わる最小限のダウンリンク送信期間を特定する、および前記最小限のダウンリンク送信期間に基づいて、前記フレームのダウンリンク部分を送信するための手段と、
を備える、装置。
【請求項２８】
送信するための前記手段は、前記ダウンリンク部分の終了の前に前記コンテンション・ベースのキャリアに関わるユーザ機器（ＵＥ）にアップリンク・グラントを送信し、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、前記装置はさらに、
前記アップリンク・グラントにしたがってアップリンク・リソースにおいてデータ送信を受信するための手段
を備える、請求項２７に記載の装置。
【請求項２９】
ワイヤレス通信のための装置であって、
メモリと、
前記メモリに結合され、
フレームの少なくとも一部のためのフレーム・フォーマット・インジケータを基地局から送信することと、ここにおいて、前記フレーム・フォーマット・インジケータは、コンテンション・ベースのキャリアに関わる最小限のダウンリンク送信期間を特定する、
前記最小限のダウンリンク送信期間に基づいて、前記フレームのダウンリンク部分を送信することと、
を行うように構成されている少なくとも１つのプロセッサと、
を備える、装置。
【請求項３０】
前記少なくとも１つのプロセッサは、
前記ダウンリンク部分の終了の前に前記コンテンション・ベースのキャリアに関わるユーザ機器（ＵＥ）にアップリンク・グラントを送信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記アップリンク・リソースにおいてデータ送信を受信することと、
を行うようにさらに構成されている、請求項２９に記載の装置。
【請求項３１】
ワイヤレス通信のためのコンピュータ実行可能コードを記憶するコンピュータ可読媒体であって、
フレームの少なくとも一部のためのフレーム・フォーマット・インジケータを基地局から送信することと、ここにおいて、前記フレーム・フォーマット・インジケータは、コンテンション・ベースのキャリアに関わる最小限のダウンリンク送信期間を特定する、
前記最小限のダウンリンク送信期間に基づいて、前記フレームのダウンリンク部分を送信することと、
を行うためのコードを備える、コンピュータ可読媒体。
【請求項３２】
前記ダウンリンク部分の終了の前に前記コンテンション・ベースのキャリアに関わるユーザ機器（ＵＥ）にアップリンク・グラントを送信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記アップリンク・リソースにおいてデータ送信を受信することと、
を行うためのコードをさらに備える、請求項３１に記載のコンピュータ可読媒体。
【請求項３３】
前記フレーム・フォーマット・インジケータは、前記コンテンション・ベースのキャリア上でダウンリンク送信のためにスケジューリングされたリソースを示す情報を備え、前記ＵＥは、前記基地局から受信された前記フレーム・フォーマット・インジケータ中に備えられた前記情報を使用して、前記コンテンション・ベースのキャリアに関わる前記最小限のダウンリンク送信期間を決定する、請求項１に記載の方法。
【発明の詳細な説明】
【関連出願の相互参照】
【０００１】
[0001]  本特許出願は、２０１５年４月８日に出願された、「UPLINK TRANSMISSION SCHEDULING FOR CONTENTION BASED CARRIER」と題する米国仮特許出願第６２／１４４，８００号、２０１５年４月１０日に出願された、「TECHNIQUES FOR INDICATING DOWNLINK SUBFRAMES AND UPLINK SUBFRAMES」と題する米国仮特許出願第６２／１４６，０８５号、および２０１６年３月１６日に出願された、「TRANSMISSION SCHEDULING FOR CONTENTION BASED CARRIER」と題する米国非仮特許出願第１５／０７２，１０４号の利益を主張し、それらの全体が本書における参照により本書において明確に組み込まれる。
【技術分野】
【０００２】
[0002]  本開示の態様は、概してワイヤレス通信システムに関し、より具体的には、コンテンション・ベースの共有周波数スペクトルを有するワイヤレス通信ネットワークにおけるクリア・チャネル・アセスメントによるダウンリンクまたはアップリンク送信制御に関する。
【背景技術】
【０００３】
[0003]  ワイヤレス通信システムは、音声、映像、パケット・データ、メッセージング、ブロードキャストなどのようなさまざまなタイプの通信コンテンツを提供するために広く展開されている。これらのシステムは、利用可能なシステム・リソース（例えば、時間、周波数、および電力）を共有することによって複数のユーザとの通信をサポートすることが可能である多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、シングル・キャリア周波数分割多元接続（ＳＣ−ＦＤＭＡ）システム、および直交周波数分割多元接続（ＯＦＤＭＡ）システムを含む。
【０００４】
[0004]  例として、ワイヤレス多元接続通信システムは、いくつかの基地局を含み得、各々が、別名ユーザ機器（ＵＥ）として知られている複数の通信デバイスのための通信を同時にサポートする。基地局は、（例えば、基地局からＵＥへの送信のために）ダウンリンク・チャネルおよび（例えば、ＵＥから基地局への送信のために）アップリンク・チャネル上でＵＥと通信し得る。
【０００５】
[0005]  通信のいくつかのモードは、コンテンション・ベースの共有無線周波数スペクトル帯域上の、または、セルラ・ネットワークの異なる無線周波数スペクトル帯域（例えば、ライセンス無線周波数スペクトル帯域、またはアンライセンス無線周波数スペクトル帯域）上の、ＵＥおよび基地局間の通信を可能にし得る。ライセンス無線周波数スペクトル帯域を使用するセルラ・ネットワークでデータ・トラフィックが増大していることに伴い、アンライセンス無線周波数スペクトル帯域への少なくともいくらかのデータ・トラフィックのオフロードは、データ送信容量の改善の機会をセルラ・オペレータに提供し得る。アンライセンス無線周波数スペクトル帯域はまた、ライセンス無線周波数スペクトル帯域へのアクセスが利用可能でないエリアにおいてサービスを提供し得る。
【０００６】
[0006]  コンテンション・ベースの共有無線周波数スペクトル帯域へのアクセス、およびこれを通じた通信を達成する前に、基地局またはＵＥは、共有無線周波数スペクトル帯域へのアクセスのために競合するためのリッスン・ビフォー・トーク（ＬＢＴ：listen before talk）プロシージャを実施し得る。ＬＢＴプロシージャは、コンテンション・ベースの共有無線周波数スペクトル帯域のチャネルが利用可能であるかどうかを決定するためにクリア・チャネル・アセスメント（ＣＣＡ）または拡張されたＣＣＡ（ｅＣＣＡ）プロシージャを実施することを含み得る。コンテンション・ベースの共有無線周波数スペクトル帯域のチャネルが利用可能であることが決定される場合に、チャネル使用ビーコン信号（ＣＵＢＳ）のようなチャネル・リザービング信号が、チャネルをリザーブするために送信され得る。
【０００７】
[0007]  共有無線周波数スペクトルにおいて動作するとき、時間領域複信（ＴＤＤ）モードで動作する基地局は、共有無線周波数スペクトル上での通信のフレームの始まりにおいて、またはその前に、通信のフレームのＴＤＤ構造を他のノードに指示し得る。いくつかの場合では、ＴＤＤ構造は、物理フレーム・フォーマット・インジケータ・チャネル（ＰＦＦＩＣＨ）においてシグナリングされ得、ダウンリンク／アップリンク・サブフレーム分割のインジケーション（または、通信の方向がダウンリンク（ＤＬ）送信（例えば、ＤＬサブフレームの送信）からアップリンク（ＵＬ）送信（例えば、ＵＬサブフレームの送信）に切り替わるサブフレーム境界のインジケーション）を含み得る。
【発明の概要】
【０００８】
[0008]  以下は、１つまたは複数の態様の基本的な理解を提供するために、そのような態様の簡略化された概要を示す。この概要は、企図されるすべての態様の広範な概観ではなく、また、すべての態様の重要なまたはクリティカルな要素を特定することも、任意またはすべての態様の範囲を定めることも意図されない。その唯一の目的は、後に示されるより詳細な説明への前置きとして、簡略化された形式で１つまたは複数の態様のいくつかの概念を示すことである。
【０００９】
[0009]  本書に示されている態様は、基地局がＤＬ送信期間の始まりを個別にシグナリングすることを可能にし得る。いくつかの場合では、このことは、ＵＬ送信期間がスケジュールされるべきかどうか、または、何個のＵＬサブフレームがＵＬ送信期間に含まれるべきかを決定するためのより多くの時間を基地局に与え得る。基地局はまた、次の（すなわち後続する）ＵＬ送信期間と関連付けされたＵＬサブフレームの数をシグナリングし得る。
【００１０】
[0010]  本書に開示されるさまざまな態様は、ｅノードＢ（ｅＮＢ）がコンテンション・ベースのキャリア環境において異なるＵＥにスペクトルをより確実に割り当てることができるメカニズムを提供する。特定の態様は、ＵＥが、コンテンション・ベースのスペクトルにおけるＵＬ送信のためのリソースの割り当てを、そのスペクトルの獲得後に、承認するグラントを受信することができる技術に関する。他の態様は、任意のシリーズの後続するＵＬサブフレームをサポートしながら、ＤＬ送信の前にＵＥにフレームのＤＬ部分を指示するだけでＤＬ：ＵＬサブフレームのフレキシブルな割合に対応することができる、フレキシブルなフレーム構造に関する。
【００１１】
[0011]  ＬＡＡおよびアンライセンス専用（unlicensed-only）スペクトルにおいて送信する場合、ノードは、送信の前にＣＣＡ／ｅＣＣＡを実施しなければならない。アップリンク送信に関しては、ＵＥはそれがスケジュールされるまで送信しない場合もある。その結果、ＵＬ送信に関してＵＥをスケジュールするために、ｅＮＢはＵＥにスケジューリング情報を送信するために、ＣＣＡ／ｅＣＣＡプロシージャを実施することによって、媒体を獲得しなければならない。スケジューリング情報を受信した後、ＵＥはまた、データを送信するために、ＣＣＡ／ｅＣＣＡプロシージャを実施することによって、媒体を獲得する必要がある。
【００１２】
[0012]  ＵＬヘビー構造（UL heavy configurations）に関しては、標準のフレーム・ベースの通信構造では不十分であり得る。まず、ｅＮＢは、多数のＷｉＦｉノードの存在下では媒体を獲得することが困難であり得る。さらに、ＵＥにおける干渉状況が不明瞭であり、その結果、スケジュールされた後に、スケジュールされたリソースにおいて媒体を獲得するために個々のＣＣＡ／ｅＣＣＡの成功を実施するための各スケジュールされたＵＥの能力は、不安定および未知である。最後に、ＵＥが媒体を獲得する割合は、媒体の正しい使用をもたらさない場合がある。
【００１３】
[0013]  本開示の態様において、方法、コンピュータ・プログラム製品、および装置が提供される。装置は、ＤＬ送信期間に関わるインジケータを受信する。装置は、ＵＥにおいてフレームのためのフレーム・フォーマット・インジケータを受信し得、ここにおいてフレーム・インジケータはコンテンション・ベースのキャリアのためにスケジュールされた複数のＤＬサブフレームのみを特定し、フレームのＤＬ部分を受信する。装置は、ＤＬサブフレームの終了の前にコンテンション・ベースのキャリアに関わるＵＬグラントをＵＥにおいて受信し得、ここにおいて、ＵＬグラントは、ＵＥに割り当てられた少なくとも１つのＵＬリソースを特定し、少なくとも１つのアップリンク・リソースは、少なくとも１つのアップリンク・サブフレームにある。そして装置は、ＵＬグラントにしたがってＵＬリソースにおいて送信し得る。
【００１４】
[0014]  装置は、少なくとも１つのＵＬサブフレームの後にダウンリンクＣＵＢＳをモニタし得る。ＵＬグラントは、コンテンション・ベースのキャリアまたは非コンテンション・キャリアのうちの１つにおいて受信され得る。
【００１５】
[0015]  装置は、フレームのＤＬ部分の後にＤＬ ＣＵＢＳをモニタし得る。例えば、装置は、ＵＥがＤＬ部分の終了の前にＵＬグラントを受信しない場合はＤＬサブフレームの後に、および、ＵＥがＤＬグラントの終了の前にＵＬグラントを受信する場合はフレームの少なくとも１つのＵＬサブフレームの後に、ＣＵＢＳをモニタし得、ここにおいてＵＬグラントは、少なくとも１つのＵＬサブフレームを特定する。
【００１６】
[0016]  本開示の別の態様において、方法、コンピュータ・プログラム製品、および装置が提供される。装置は、ＵＥにおいて仮のグラントＵＬ割り当てを受信し、仮のグラントＵＬ割り当てに基づいてコンテンション・ベースのキャリアであるセカンダリ・コンポーネント・キャリア（ＳＣＣ）においてＣＣＡ動作を実施し、ＣＣＡ動作が成功する場合ＳＣＣにおいてスケジューリング要求（ＳＲ）を送信する。装置は、ＳＲに応答してＳＣＣにおいてグラント承認を受信し、グラント承認を受信した後にＳＣＣにおいてデータを送信する。
【００１７】
[0017]  ＳＲは、シグネチャ・シーケンスを備え得、グラント承認は、同じシグネチャ・シーケンスを備え得る。グラント承認は、ＣＣＡ動作から離間され得る。仮のグラントＵＬ割り当ておよびグラント承認は、コンテンション・ベースのキャリアにおいて受信され得る。代わって、仮のグラントＵＬ割り当ては、非コンテンション・キャリアにおいて受信され得る。
【００１８】
[0018]  本開示の別の態様において、方法、コンピュータ・プログラム製品、および装置が提供される。装置は、フレームのためのフレーム・フォーマット・インジケータを送信し、ここにおいてフレーム・フォーマット・インジケータは、コンテンション・ベースのキャリアのためにスケジュールされた複数のＤＬサブフレームのみを特定する。装置はまた、フレームのＤＬ部分を送信する。
【００１９】
[0019]  装置はさらに、ＤＬサブフレームの終了の前にコンテンション・ベースのキャリアに関わるＵＬグラントをＵＥに送信し得、ここにおいて、ＵＬグラントは、ＵＥに割り当てられた少なくとも１つのＵＬリソースを特定し、少なくとも１つのＵＬリソースは、少なくとも１つのＵＬサブフレームにある、そして装置は、ＵＬグラントにしたがってＵＬリソースにおいてデータ送信を受信し得る。ＵＬグラントは、コンテンション・ベースのキャリアまたは非コンテンション・キャリアのうちの１つにおいて送信され得る。
【００２０】
[0020]  本開示の別の態様において、方法、コンピュータ・プログラム製品、および装置が提供される。装置は、ＵＥのセットに仮のグラントＵＬ割り当てを送信し、そのセットは、１つまたは複数のＵＥを含み、１つまたは複数の仮のグラントＵＬ割り当て送信に応答して、コンテンション・ベースのキャリアであるＳＣＣにおいて１つまたは複数のＳＲを検出する。そして装置は、検出された１つまたは複数のＳＲに応答して、ＳＣＣにおいて１つまたは複数のグラント承認を送信する。
【００２１】
[0021]  上述した目的および関連する目的の達成のために、１つまたは複数の態様は、下記に十分に説明され且つ特許請求の範囲内において特に指摘される特徴を備える。次の説明および付属の図面は、１つまたは複数の態様の特定の例示的な特徴を詳細に示す。しかしながら、これらの特徴は、さまざまな態様の原理が使用され得るさまざまな方法のうちのごく一部を示し、本説明は、そのような態様およびそれらの同等物のすべてを含むことが意図されている。
【００２２】
[0022]  本開示の本質および利点のさらなる理解は、以下の図面を参照することによって実現され得る。添付の図面において、同様のコンポーネントまたは特徴は、同じ参照ラベルを有し得る。さらに、同じタイプのさまざまなコンポーネントは、参照ラベルに、ダッシュと、同様のコンポーネント間を区別する第２のラベルとを後続させることによって区別され得る。本明細書において第１の参照ラベルのみが使用される場合、第２の参照ラベルに関係なく同じ第１の参照ラベルを有する同様のコンポーネントのいずれか１つに、説明が適用可能である。
【図面の簡単な説明】
【００２３】
【図１】[0023]  図１は、本開示のさまざまな態様したがってワイヤレス通信システムの例を例示する図を示す。
【図２Ａ】[0024]  図２Ａは、本開示のさまざまな態様にしたがってアンライセンス・スペクトルにおいてＬＴＥ（登録商標）を使用するための展開シナリオ（deployment scenarios）の例を例示する図を示す。
【図２Ｂ】[0025]  図２Ｂは、本開示のさまざまな態様にしたがってアンライセンス・スペクトルにおいてＬＴＥを使用するための展開シナリオ（deployment scenarios）の別の例を例示する図を示す。
【図３】[0026]  図３は、本開示のさまざまな態様にしたがってライセンス、およびアンライセンス・スペクトルにおいて同時にＬＴＥを使用するときのキャリア・アグリゲーションの例を例示する図を示す。
【図４】[0027]  図４は、本開示のさまざまな態様にしたがって、コンテンション・ベースの共有無線周波数スペクトル帯域へのアクセスのために競合するときの送信装置によって実施されるＣＣＡプロシージャの例を示す。
【図５】[0028]  図５は、本開示のさまざまな態様にしたがって、コンテンション・ベースの共有無線周波数スペクトル帯域へのアクセスのために競合するときの送信装置によって実施されるｅＣＣＡプロシージャの例を示す。
【図６】[0029]  図６は、基地局／ｅＮＢおよびＵＥの設計のブロック図を示し、それらは、図１の複数の基地局／ｅＮＢのうちの１つおよび複数のＵＥのうちの１つであり得る。
【図７】[0030]  図７は、本開示の態様にしたがって、ＵＬスケジューリングの例を示す。
【図８】[0031]  図８は、本開示の態様にしたがって、ＵＬスケジューリングのための離間の例を示す。
【図９】[0032]  図９は、本開示の態様にしたがって、ＵＬスケジューリングのための離間の別の例を示す。
【図１０】[0033]  図１０は、本開示の態様にしたがって、キャリア・アグリゲーションのためのＵＬスケジューリングのための構成の例を示す。
【図１１】[0034]  図１１は、本開示の態様にしたがって、シングル・キャリア・モードのためのＵＬスケジューリングのための構成の例を示す。
【図１２】[0035]  図１２は、本開示のさまざまな態様にしたがって、ワイヤレス通信の方法のフロー・チャートを示す。
【図１３】[0036]  図１３は、例としての装置における異なる手段／コンポーネント間でのデータ・フローを例示する概念的なデータ・フロー図を示す。
【図１４】[0037]  図１４は、処理システムを用いる装置のためのハードウェア・インプリメンテーションの例を例示する図を示す。
【図１５】[0038]  図１５は、本開示のさまざまな態様にしたがって、ワイヤレス通信の方法のフロー・チャートを示す。
【図１６】[0039]  図１６は、例としての装置における異なる手段／コンポーネント間でのデータ・フローを例示する概念的なデータ・フロー図を示す。
【図１７】[0040]  図１７は、処理システムを用いる装置のためのハードウェア・インプリメンテーションの例を例示する図を示す。
【図１８Ａ】[0041]  図１８Ａは、本開示にしたがってキャリア・アグリゲーション・モードのためのＵＬスケジューリングの構成の例を例示する。
【図１８Ｂ】図１８Ｂは、本開示にしたがってキャリア・アグリゲーション・モードのためのＵＬスケジューリングの構成の例を例示する。
【図１８Ｃ】図１８Ｃは、本開示にしたがってキャリア・アグリゲーション・モードのためのＵＬスケジューリングの構成の例を例示する。
【図１９】[0042]  図１９は、本開示の態様にしたがって、ＤＬ送信期間を指示するための構成の例を示す。
【図２０】[0043]  図２０は、本開示のさまざまな態様にしたがって、ワイヤレス通信の方法のフロー・チャートを示す。
【図２１】[0044]  図２１は、本開示のさまざまな態様にしたがって、ワイヤレス通信の方法のフロー・チャートを示す。
【図２２】[0045]  図２２は、本開示のさまざまな態様にしたがって、ワイヤレス通信の方法のフロー・チャートを示す。
【発明を実施するための形態】
【００２４】
[0046]  添付の図面に関連して、以下に示される詳細な説明は、さまざまな構成の説明として意図され、本開示の範囲を限定することは意図されていない。むしろ、この詳細な説明は、本発明の主題の完全な理解を提供することを目的とした具体的な詳細を含む。これら具体的な詳細が全てのケースで必要とされるとは限らないこと、および、いくつかの事例において、良く知られた構造およびコンポーネントが提示の明確さのためにブロック図の形式で示されることは、当業者には明らかであろう。
【００２５】
[0047]  アンライセンス無線周波数スペクトル帯域がワイヤレス通信システム上のコンテンション・ベースの通信の少なくとも一部に使用される技術が、説明される。いくつかの例では、コンテンション・ベースの共有無線周波数スペクトル帯域は、ＬＴＥ通信またはＬＴＥアドバンスト（ＬＴＥ−Ａ）通信に使用され得る。コンテンション・ベースの無線周波数スペクトル帯域は、非コンテンションのライセンス無線周波数スペクトル帯域と組み合されて、またはそれとは独立して、使用され得る。いくつかの例では、コンテンション・ベースの無線周波数スペクトル帯域は、無線周波数スペクトル帯域が少なくとも部分的に、アンライセンスの使用、例えばＷｉＦｉの使用、に対して利用可能であるため、デバイスがアクセスのために競合する必要があり得る無線周波数スペクトル帯域であり得る。
【００２６】
[0048]  ライセンス無線周波数スペクトル帯域を使用するセルラ・ネットワークにおいてデータ・トラフィックが増大するのにつれて、例えばアンライセンス帯域におけるコンテンション・ベースの共有無線周波数スペクトル帯域への少なくともいくらかのデータ・トラフィックのオフローディングが、セルラ・オペレータ（例えば、地上波公共移動通信ネットワーク（ＰＬＭＮ：public land mobile network）、またはセルラ・ネットワークを規定する基地局の協調的なセット、例えばＬＴＥ／ＬＴＥ−Ａネットワークのオペレータ）に、データ送信容量の改善の機会を提供し得る。上述されたように、コンテンション・ベースの共有無線周波数スペクトル帯域、例えばアンライセンス・スペクトル、上で通信する前に、デバイスは、共有無線周波数スペクトル帯域へのアクセスを獲得するためのＬＢＴプロシージャを実施し得る。このようなＬＢＴプロシージャは、アンライセンス無線周波数スペクトル帯域のチャネルが利用可能であるかどうかを決定するためにＣＣＡプロシージャ（またはｅＣＣＡプロシージャ）を実施することを含み得る。コンテンション・ベースの無線周波数スペクトル帯域のチャネルが利用可能であることが決定される場合、チャネル・リザービング信号（例えば、ＣＵＢＳ）が、チャネルをリザーブするために送信され得る。チャネルが利用可能でないことが決定される場合、ＣＣＡプロシージャ（またはｅＣＣＡプロシージャ）が、のちにチャネルのために再度実施され得る。
【００２７】
[0049]  基地局および／またはＵＥがコンテンション・ベースの共有無線周波数スペクトル帯域上で送信することができる複数のアンテナ・ポートを含む場合、異なるアンテナ・ポートからの送信は、送信された信号間の相関に起因して互いに干渉し得る。コンテンション・ベースの共有無線周波数スペクトル帯域のチャネルをリザーブするために使用されるチャネル・リザービング信号に関しては、送信された信号間の相関に起因する干渉の低減が、チャネルをリザーブするための良好な検出能力を提供することと、チャネルを不必要にリザーブする誤った検出を防ぎ、他のデバイスがチャネルを使用するのを防ぐこととのために重要であり得る。単一のアンテナからの信号の自己相関または種々のアンテナからの複数の信号の相互相関に起因するこのような干渉を低減するために、基地局またはＵＥは、チャネル・リザービング信号のシーケンスを送信するアンテナ・ポートに関連付けされたアンテナ・ポート識別子に少なくとも部分的に基づいたシーケンスを生成し得る。この方法で、チャネル・リザービング信号の相関が低減され得、これによって、信号送信の検出能力を改良し、コンテンション・ベースの共有無線周波数スペクトル帯域のチャネルのより有効かつ正確なリザーベーションをもたらす。
【００２８】
[0050]  言い換えると、アンライセンス無線周波数スペクトル帯域のチャネルをリザーブするために使用されるチャネル・リザービング信号に関しては、チャネル・リザービング信号は、誤った警告を減じるための良好な検出性で構成されるべきであり、その結果、チャネル・リザーベーションは、共有無線周波数スペクトル帯域へのアクセスを試みる他のデバイスによって容易に検出され得る。かくして、チャネル・リザービング信号シーケンスは、隣接する基地局からのシーケンスとの良好な相互相関プロパティおよび良好な自己相関プロパティを有するべきである。例えば、プライマリ同期信号（ＰＳＳ）、セカンダリ同期信号（ＳＳＳ）、および／またはチャネル状態情報基準信号（ＣＳＩ−ＲＳ）は、コンテンション・ベースの共有無線周波数スペクトル帯域における種々の基地局間の良好な相互相関プロパティまたは良好な自己相関プロパティを有していない可能性がある。かくして、チャネル・リザービング信号シーケンスは、良好な自己相関および相互相関プロパティを提供するためにアンテナ・ポート識別子に少なくとも部分的に基づいて構成されるべきである。
【００２９】
[0051]  以下の説明は、例を提供しており、特許請求の範囲に記載されている範囲、適用可能性、または例を限定してはいない。本開示の範囲から逸脱することなく、論述される要素の機能および配置の変更が為され得る。さまざまな例は、適宜、さまざまなプロシージャまたはコンポーネントを省略、代用、あるいは追加し得る。例えば、説明される方法は、説明されるものとは異なる順序で実施され得、さまざまなステップが追加、省略、または組み合わされ得る。また、いくつかの例に関して説明される特徴は、他の例において組み合され得る。
【００３０】
[0052]  図１は、本開示のさまざまな態様にしたがって、ワイヤレス通信システム１００の例の図である。ワイヤレス通信システム１００は、基地局１０５、ＵＥ１１５、およびコア・ネットワーク１３０を含み得る。コア・ネットワーク１３０は、ユーザ認証、アクセス認証、追跡、インターネット・プロトコル（ＩＰ）接続性、および他のアクセス、ルーティング、またはモビリティ機能を提供し得る。基地局１０５は、バックホール・リンク１３２（例えば、Ｓ１など）を通じてコア・ネットワーク１３０とインターフェースし得、ＵＥ１１５との通信のためのスケジューリングおよび無線構成を実施し得るか、または基地局コントローラ（図示せず）の制御下で動作し得る。さまざまな例では、基地局１０５は、（例えば、コア・ネットワーク１３０を通じて）間接的に、または直接に、のいずれかで、バックホール・リンク１３４（例えば、Ｘ１など）を通じて互いと通信し得、それは、有線または無線の通信リンクであり得る。
【００３１】
[0053]  基地局１０５は、１つまたは複数の基地局アンテナを介してＵＥ１１５とワイヤレスで通信し得る。基地局１０５のサイトの各々は、通信カバレッジをそれぞれの地理的カバレッジ・エリア１１０に提供し得る。いくつかの例では、基地局１０５は、基地トランシーバ局、無線基地局、アクセス・ポイント、無線トランシーバ、ノードＢ、ｅＮＢ、ホーム・ノードＢ、ホームｅＮＢ、または何らかの他の適した専門用語で呼ばれ得る。基地局１０５のための地理的カバレッジ・エリア１１０は、カバレッジ・エリアの一部を構成する複数のセクタに分割され得る（図示せず）。ワイヤレス通信システム１００は、異なるタイプの基地局１０５（例えば、マクロまたはスモール・セルの基地局）を含み得る。異なる技術のために重複している地理的カバレッジ・エリア１１０が存在し得る。
【００３２】
[0054]  いくつかの例では、ワイヤレス通信システム１００は、ＬＴＥ／ＬＴＥ−Ａネットワークを含み得る。ＬＴＥ／ＬＴＥ−Ａネットワークでは、ｅＮＢという用語は、基地局１０５を説明するために使用され得、一方で、ＵＥという用語は、ＵＥ１１５を説明するために使用され得る。ワイヤレス通信システム１００は、異なるタイプのｅＮＢがさまざまな地理的領域にカバレッジを提供する異種ＬＴＥ／ＬＴＥ−Ａネットワークであり得る。例えば、各ｅＮＢまたは基地局１０５は、マクロ・セル、スモール・セル、または他のタイプのセルに通信カバレッジを提供し得る。「セル（cell）」という用語は、コンテキストに依存して、基地局、基地局に関連付けされたキャリアまたはコンポーネント・キャリア、あるいはキャリアまたは基地局のカバレッジ・エリア（例えば、セクタなど）を説明するために使用されることができる３ＧＰＰ（登録商標）の用語である。
【００３３】
[0055]  マクロ・セルは、比較的大きい地理的エリア（例えば、半径数キロメートル）をカバーし得、ネットワーク・プロバイダにサービス加入しているＵＥによる無制限のアクセスを可能にし得る。スモール・セルは、マクロ・セルと比較して、低電力の基地局であり得、それは、マクロ・セルと同じまたは異なる（例えば、ライセンス、アンライセンス、など）無線周波数スペクトル帯域で動作し得る。スモール・セルは、さまざまな例によると、ピコ・セル、フェムト・セル、およびマイクロ・セルを含み得る。ピコ・セルは、比較的より小さい地理的エリアをカバーし、ネットワーク・プロバイダにサービス加入しているＵＥよる無制限のアクセスを可能にし得る。フェムト・セルもまた、比較的小さい地理的エリア（例えば、家）をカバーし、フェムト・セルとの関連付けを有するＵＥ（例えば、クローズド加入者グループ（ＣＳＧ）中のＵＥ、家の中にいるユーザのためのＵＥなど）による制限されたアクセスを提供し得る。マクロ・セルに対するｅＮＢは、マクロｅＮＢと呼ばれ得る。スモール・セルに対するｅＮＢは、スモール・セルｅＮＢ、ピコｅＮＢ、フェムトｅＮＢまたはホームｅＮＢと呼ばれ得る。ｅＮＢは、１つまたは複数（例えば、２つ、３つ、４つなど）のセル（例えば、コンポーネント・キャリア）をサポートし得る。
【００３４】
[0056]  ワイヤレス通信システム１００は、同期または非同期動作をサポートし得る。同期動作の場合、基地局は、同様のフレーム・タイミングを有し、異なる基地局からの送信は、時間的にほぼアラインされ得る（approximately aligned in time）。非同期動作の場合、基地局は、異なるフレーム・タイミングを有し、異なる基地局からの送信は、時間的にアラインされないことがあり得る。本書で説明される技術は、同期または非同期のいずれかの動作に対して使用され得る。
【００３５】
[0057]  さまざまな開示される例のうちのいくつかに対応し得る（accommodate）通信ネットワークは、レイヤード・プロトコル・スタックにしたがって動作するパケット・ベースのネットワークであり得る。ユーザ・プレーンでは、ベアラまたはパケット・データ・コンバージェンス・プロトコル（ＰＤＣＰ）レイヤにおける通信は、ＩＰベースであり得る。無線リンク制御（ＲＬＣ）レイヤは、論理チャネル上で通信するために、パケット・セグメンテーションおよびリアセンブリを実施し得る。媒体アクセス制御（ＭＡＣ）レイヤは、優先度処理（priority handling）およびトランスポート・チャネルへの論理チャネルの多重化を実施し得る。ＭＡＣレイヤはまた、リンク効率を改善するために、ＭＡＣレイヤにおいて再送信を提供するハイブリッドＡＲＱ（ＨＡＲＱ）を使用し得る。制御プレーンでは、無線リソース制御（ＲＲＣ）プロトコル・レイヤは、ユーザ・プレーン・データのための無線ベアラをサポートする、ＵＥ１１５と基地局１０５またはコア・ネットワーク１３０との間でのＲＲＣ接続の確立、構成、および維持を提供し得る。物理（ＰＨＹ）レイヤにおいて、トランスポート・チャネルは、物理チャネルにマッピングされ得る。
【００３６】
[0058]  ＵＥ１１５は、ワイヤレス通信システム１００全体にわたって分散され得、各ＵＥ１１５は、固定式または移動式であり得る。ＵＥ１１５はまた、モバイル局、加入者局、モバイル・ユニット、加入者ユニット、ワイヤレス・ユニット、遠隔ユニット、モバイル・デバイス、ワイヤレス・デバイス、ワイヤレス通信デバイス、遠隔デバイス、モバイル加入者局、アクセス端末、モバイル端末、ワイヤレス端末、遠隔端末、ハンドセット、ユーザ・エージェント、モバイル・クライアント、クライアント、または何らかの他の適した専門用語を含み得るか、または当業者によってそれらで呼ばれ得る。ＵＥ１１５は、セルラ電話、携帯情報端末（ＰＤＡ）、ワイヤレス・モデム、ワイヤレス通信デバイス、ハンドヘルド・デバイス、タブレット・コンピュータ、ラップトップ・コンピュータ、コードレス電話、ワイヤレス・ローカル・ループ（ＷＬＬ）局などであり得る。ＵＥは、マクロｅＮＢ、スモール・セルｅＮＢ、中継基地局などを含むさまざまなタイプの基地局およびネットワーク機器と通信することが可能であり得る。
【００３７】
[0059]  ワイヤレス通信システム１００で図示される通信リンク１２５は、基地局１０５からＵＥ１１５へのＤＬ送信、またはＵＥ１１５から基地局１０５へのＵＬ送信を含み得る。ダウンリンク送信は、順方向リンク送信とも呼ばれ得、一方でアップリンク送信は、逆方向リンク送信とも呼ばれ得る。いくつかの例では、ＵＬ送信は、アップリンク制御情報の送信を含み得、アップリンク制御情報は、アップリンク制御チャネル（例えば物理アップリンク制御チャネル（ＰＵＣＣＨ）またはエンハンスドＰＵＣＣＨ（ｅＰＵＣＣＨ））上で送信され得る。アップリンク制御情報は、例えば、ダウンリンク送信の肯定応答または否定応答、またはチャネル状態情報を含み得る。アップリンク送信はまた、データの送信を含み得、そのデータは、物理アップリンク共有チャネル（ＰＵＳＣＨ）またはエンハンスドＰＵＳＣＨ（ｅＰＵＳＣＨ）上で送信され得る。アップリンク送信はまた、（例えば、図２Ａおよび図２Ｂを参照して説明されるスタンドアロン・モードまたは二重接続モードにおける）サウンディング基準信号（ＳＲＳ）またはエンハンスドＳＲＳ（ｅＳＲＳ）、物理ランダム・アクセス・チャネル（ＰＲＡＣＨ）またはエンハンスドＰＲＡＣＨ（ｅＰＲＡＣＨ）、または、（例えば、図２Ａおよび図２Ｂを参照して説明されるスタンドアロン・モードにおける）ＳＲまたはエンハンスドＳＲ（ｅＳＲ）の送信を含み得る。本開示においてＰＵＣＣＨ、ＰＵＳＣＨ、ＰＲＡＣＨ、ＳＲＳ、またはＳＲへの言及は、それぞれｅＰＵＣＣＨ、ｅＰＵＳＣＨ、ｅＰＲＡＣＨ、ｅＳＲＳ、またはｅＳＲへの言及を本質的に含むと見なされる。
【００３８】
[0060]  いくつかの例では、各通信リンク１２５は、１つまたは複数のキャリアを含み得、ここで、各キャリアは、上述されたさまざまな無線技術にしたがって変調された複数のサブキャリア（例えば、異なる周波数の波形信号）から構成される信号であり得る。変調された各信号は、異なるサブキャリア上で送られ得、制御情報（例えば、基準信号、制御チャネルなど）、オーバヘッド情報、ユーザ・データなどを搬送し得る。通信リンク１２５は、（例えば、ペアのスペクトル・リソースを使用する）周波数領域複信（ＦＤＤ）動作、または（例えば、ペアではないスペクトル・リソースを使用する）時間領域複信（ＴＤＤ）動作を使用して双方向通信を送信し得る。ＦＤＤ動作についてのフレーム構造（例えば、フレーム構造タイプ１）およびＴＤＤ動作についてのフレーム構造（例えば、フレーム構造タイプ２）が定義され得る。
【００３９】
[0061]  ワイヤレス通信システム１００のいくつかの態様では、基地局１０５またはＵＥ１１５は、基地局１０５とＵＥ１１５との間での通信品質および信頼性を改善するために、アンテナ・ダイバーシティ・スキームを用いるための複数のアンテナを含み得る。さらに、または代わって、基地局１０５またはＵＥ１１５は、同じまたは異なるコード化されたデータを搬送する複数の空間レイヤを送信するために、マルチ・パス環境を活用し得る多入力多出力（ＭＩＭＯ）技術を用い得る。
【００４０】
[0062]  ワイヤレス通信システム１００は、複数のセルまたはキャリア上での動作をサポートし得、その特徴はキャリア・アグリゲーション（ＣＡ）またはマルチ・キャリア動作と呼ばれ得る。キャリアはまた、コンポーネント・キャリア（ＣＣ）、レイヤ、チャネルなどと呼ばれ得る。「キャリア」、「コンポーネント・キャリア」、「セル」、および「チャネル」という用語は、本書では交換可能に使用され得る。ＵＥ１１５は、キャリア・アグリゲーションのための複数のダウンリンクＣＣおよび１つまたは複数のアップリンクＣＣで構成され得る。キャリア・アグリゲーションは、ＦＤＤおよびＴＤＤコンポーネント・キャリアの両方を用いて使用され得る。
【００４１】
[0063]  ワイヤレス通信システム１００はさらに、または代わって、非コンテンションのライセンス無線周波数スペクトル帯域（例えば、ＬＴＥ／ＬＴＥ−Ａ通信のために利用可能であるライセンス無線周波数スペクトル帯域のような、無線周波数スペクトル帯域が特定の使用のために特定のユーザに対して認可されることから送信装置がアクセスのために競合しない無線周波数スペクトル帯域）、またはコンテンション・ベースの共有無線周波数スペクトル帯域（例えば、ＷｉＦｉの使用のような、アンライセンスの使用のために無線周波数スペクトル帯域が利用可能であることから送信装置がアクセスのために競合する必要があり得るアンライセンス無線周波数スペクトル帯域）上での動作をサポートし得る。コンテンション・ベースの共有無線周波数スペクトル帯域へのアクセスのための競合に勝利すると、送信装置（例えば、基地局１０５またはＵＥ１１５）は、アンライセンス無線周波数スペクトル帯域上で１つまたは複数のチャネル・リザービング信号（例えば、１つまたは複数のＣＵＢＳ）を送信し得る。チャネル・リザービング信号は、アンライセンス無線周波数スペクトル帯域において検出可能なエネルギーを提供することによってアンライセンス無線周波数スペクトルをリザーブするように機能し得る。チャネル・リザービング信号はまた、送信装置および／または送信するアンテナを特定するように機能し得、または、送信装置および受信装置を同期させるように機能し得る。いくつかの例では、チャネル・リザービング信号送信は、シンボル期間境界（例えば、ＯＦＤＭシンボル期間境界）において開始し得る。他の例では、ＣＵＢＳ送信は、シンボル期間境界との間で開始し得る。
【００４２】
[0064]  図１に示されているコンポーネントの数および配置は、一例として提供されている。実際は、ワイヤレス通信システム１００は、図１に示されているものに対して、異なって配置されたデバイス、異なるデバイス、より少ないデバイス、または追加のデバイスを含み得る。さらに、または代わって、ワイヤレス通信システム１００のデバイスのセット（例えば、１つまたは複数のデバイス）は、ワイヤレス通信システム１００のデバイスの別のセットによって実施されるように説明された１つまたは複数の機能を実施し得る。
【００４３】
[0065]  次に図２Ａを参照すると、図２００は、コンテンション・ベースの共有スペクトルに拡張されたＬＴＥ／ＬＴＥ−ＡをサポートするＬＴＥネットワークのためのキャリア・アグリゲーション・モードの、および、補足的なダウンリンク・モード（例えば、ライセンス・アシスト・アクセス（ＬＡＡ）モード）の、例を示す。図２００は、図１のシステム１００の一部の例であり得る。さらに、基地局１０５−ａは、図１の基地局１０５の例であり得、一方でＵＥ１１５−ａは、図１のＵＥ１１５の例であり得る。
【００４４】
[0066]  図２００における補足的なダウンリンク・モード（ＬＡＡモード）の例では、基地局１０５−ａは、ダウンリンク２０５を使用してＵＥ１１５−ａにＯＦＤＭＡ通信信号を送信し得る。ダウンリンク２０５は、アンライセンス・スペクトルにおいて周波数Ｆ１に関連付けされる。基地局１０５−ａは、双方向リンク２１０を使用して同じＵＥ１１５−ａにＯＦＤＭＡ通信信号を送信し得、双方向リンク２１０を使用してＵＥ１１５−ａからＳＣ−ＦＤＭＡ通信信号を受信し得る。双方向リンク２１０は、ライセンス・スペクトルにおいて周波数Ｆ４に関連付けされる。アンライセンス・スペクトルにおけるダウンリンク２０５およびライセンス・スペクトルにおける双方向リンク２１０は、同時に動作し得る。ダウンリンク２０５は、基地局１０５−ａに対してダウンリンク容量のオフロードを提供し得る。いくつかの実施形態では、ダウンリンク２０５は、（例えば、１つのＵＥを対象とする）ユニキャスト・サービスのサービスのために、または（例えば、いくつかのＵＥを対象とする）マルチキャスト・サービスのために、使用され得る。このシナリオは、ライセンス・スペクトルを使用し、トラフィックおよび／またはシグナリング輻輳（signaling congestion）のうちのいくらかを軽減する必要がある任意のサービス・プロバイダ（例えば、従来のモバイル・ネットワーク・オペレータすなわちＭＮＯ）によって生じ得る。
【００４５】
[0067]  図２００におけるキャリア・アグリゲーション・モードの一例では、基地局１０５−ａは、双方向リンク２１５を使用してＵＥ１１５−ａにＯＦＤＭＡ通信信号を送信し得、双方向リンク２１５を使用して、同じＵＥ１１５−ａからＳＣ−ＦＤＭＡ通信信号を受信し得る。双方向リンク２１５は、アンライセンス・スペクトルにおいて周波数Ｆ１に関連付けされる。基地局１０５−ａはまた、双方向リンク２２０を使用して同じＵＥ１１５−ａにＯＦＤＭＡ通信信号を送信し得、双方向リンク２２０を使用して同じＵＥ１１５−ａからＳＣ−ＦＤＭＡ通信信号を受信し得る。双方向リンク２２０は、ライセンス・スペクトルにおいて周波数Ｆ２に関連付けされる。双方向リンク２１５は、基地局１０５−ａに対してダウンリンクおよびアップリンク容量のオフロードを提供し得る。上述された補足的なダウンリンク（例えばＬＡＡモード）のように、このシナリオは、ライセンス・スペクトルを使用し、トラフィックおよび／またはシグナリングの輻輳のうちのいくつかを軽減する必要がある任意のサービス・プロバイダ（例えば、ＭＮＯ）によって生じ得る。
【００４６】
[0068]  図２００におけるキャリア・アグリゲーション・モードの別の例では、基地局１０５−ａは、双方向リンク２２５を使用してＵＥ１１５−ａにＯＦＤＭＡ通信信号を送信し得、双方向リンク２２５を使用して、同じＵＥ１１５−ａからＳＣ−ＦＤＭＡ通信信号を受信し得る。双方向リンク２２５は、アンライセンス・スペクトルにおいて周波数Ｆ３に関連付けされる。基地局１０５−ａはまた、双方向リンク２３０を使用して同じＵＥ１１５−ａにＯＦＤＭＡ通信信号を送信し得、双方向リンク２３０を使用して同じＵＥ１１５−ａからＳＣ−ＦＤＭＡ通信信号を受信し得る。双方向リンク２３０は、ライセンス・スペクトルにおいて周波数Ｆ２に関連付けされる。双方向リンク２２５は、基地局１０５−ａに対してダウンリンクおよびアップリンク容量のオフロードを提供し得る。この例および上記に提示されたものは、例としての目的のために示されており、容量オフロードのためのコンテンション・ベースの共有スペクトルを有する、または有していないＬＴＥ／ＬＴＥ−Ａを組み合わせる展開シナリオまたは動作の他の同様のモードがあり得る。
【００４７】
[0069]  上述されたように、コンテンション・ベースのスペクトルに拡張されたＬＴＥ／ＬＴＥ−Ａを使用することによって提供される容量オフロードから利益を得うる典型的なサービス・プロバイダは、ＬＴＥスペクトルを有する従来のＭＮＯである。これらのサービス・プロバイダに関しては、動作構成は、非コンテンション・スペクトルにおけるＬＴＥ ＰＣＣおよびコンテンション・ベースのスペクトルにおけるＬＴＥ ＳＣＣを使用するブートストラップ（bootstrapped）モード（例えば、補足的なダウンリンク（例えば、ＬＡＡモード）、キャリア・アグリゲーション）を含み得る。
【００４８】
[0070]  補足的なダウンリンク・モードでは、コンテンション・ベースのスペクトルに拡張されたＬＴＥ／ＬＴＥ−Ａのための制御が、ＬＴＥアップリンク（例えば、双方向リンク２１０のアップリンク部分）上でトランスポートされ得る。ダウンリンク容量オフロードを提供する理由のうちの１つは、データ需要がダウンリンク消費によって大きくかき立てられるからである。さらに、このモードにおいては、ＵＥがアンライセンス・スペクトルで送信していないことから規制影響が存在しないことがあり得る。ＵＥ上でＬＢＴまたはキャリア感知多元接続（ＣＳＭＡ：carrier sense multiple access）要件をインプリメントする必要はない。しかしながら、ＬＢＴは、例えば、無線フレーム境界に対してアラインされた、グラブ・アンド・リリンクウィッシュ・メカニズム（grab-and-relinquish mechanism）および／または周期的な（例えば、１０ミリ秒ごとの）ＣＣＡを使用することによって基地局（例えば、ｅＮＢ）上でインプリメントされ得る。
【００４９】
[0071]  ＣＡモードにおいて、データおよび制御は、ＬＴＥ（例えば、双方向リンク２１０、２２０、および２３０）中で通信され、その一方でデータは、コンテンション・ベースの共有スペクトルに拡張されたＬＴＥ／ＬＴＥ−Ａ（例えば、双方向リンク２１５および２２５）で通信され得る。コンテンション・ベースの共有スペクトルに拡張されたＬＴＥ／ＬＴＥ−Ａを使用する場合にサポートされるキャリア・アグリゲーション・メカニズムは、コンポーネント・キャリアにわたって異なる対称性を有するＴＤＤ−ＴＤＤキャリア・アグリゲーションまたはハイブリッド周波数分割複信−時分割複信（ＦＤＤ−ＴＤＤ）キャリア・アグリゲーションに該当し得る。
【００５０】
[0072]  図２Ｂは、コンテンション・ベースの共有スペクトルに拡張されたＬＴＥ／ＬＴＥ−Ａのためのスタンドアロン・モードの例を例示する図２００−ａを示す。図２００−ａは、図１のシステム１００の一部の例であり得る。さらに、基地局１０５−ｂは、図１の基地局１０５および図２Ａの基地局１０５−ａの例であり、その一方でＵＥ１１５−ｂは、図１のＵＥ１１５および図２ＡのＵＥ１１５−ａの例であり得る。
【００５１】
[0073]  図２００−ａのスタンドアロン・モードの例において、基地局１０５−ｂは、双方向リンク２４０を使用してＵＥ１１５−ｂにＯＦＤＭＡ通信信号を送信し得、双方向リンク２４０を使用してＵＥ１１５−ｂからＳＣ−ＦＤＭＡ通信信号を受信し得る。双方向リンク２４０は、図２Ａに関連して上述されたコンテンション・ベースの共有スペクトルにおける周波数Ｆ３に関連付けされている。スタンドアロン・モードは、スタジアム内（in-stadium）アクセス（例えば、ユニキャスト、マルチキャスト）のような、非従来的なワイヤレス・アクセス・シナリオで使用され得る。動作のこのモードのための代表的なサービス・プロバイダの例は、ライセンス・スペクトルを有していない、スタジアムの所有者、ケーブル会社、イベントの主催者、ホテル、エンタープライズ、および大企業であり得る。これらのサービス・プロバイダの場合、スタンドアロン・モードのための動作構成は、コンテンション・ベースのスペクトルにおいてＰＣＣを使用し得る。その上、ＬＢＴは、基地局およびＵＥの両方でインプリメントされ得る。
【００５２】
[0074]  いくつかの例では、送信装置、例えば、図１、２Ａ、または２Ｂを参照して説明された基地局１０５、２０５、または２０５−ａのうちの１つ、または、図１、２Ａ、または２Ｂを参照して説明されたＵＥ１１５、２１５、２１５−ａ、２１５−ｂ、または２１５−ｃのうちの１つは、コンテンション・ベースの共有無線周波数スペクトル帯域のチャネルへの（例えば、アンライセンス無線周波数スペクトル帯域の物理チャネルへの）アクセスを得るためにゲーティング・インターバル（gating interval）を使用し得る。いくつかの例では、ゲーティング・インターバルは、周期的であり得る。例えば、周期的なゲーティング・インターバルは、ＬＴＥ／ＬＴＥ−Ａ無線インターバルの少なくとも１つの境界と同期化され得る。ゲーティング・インターバルは、欧州電気通信標準化機構（ＥＴＳＩ）で指定されているＬＢＴプロトコルに少なくとも部分的に基づくＬＢＴプロトコルのようなコンテンション・ベースのプロトコルのアプリケーションを定義し得る。ＬＢＴプロトコルのアプリケーションを定義するゲート間隔を使用するとき、ゲーティング・インターバルは、送信装置がいつコンテンション・プロシージャ（例えばＬＢＴプロシージャ）、例えばクリア・チャネル・アセスメント（ＣＣＡ）を実施する必要があるのかを指示し得る。ＣＣＡプロシージャの結果は、コンテンション・ベースの共有無線周波数スペクトル帯域のチャネルが利用可能であるか、または（ＬＢＴ無線フレームとも呼ばれる）ゲーティング・インターバルのために使用中であるかどうかを送信装置に指示し得る。チャネルが対応するＬＢＡ無線フレームに対して利用可能である（例えば、使用のために「クリアである」）ことをＣＣＡプロシージャが指示するとき、送信装置は、ＬＢＴ無線フレームの一部または全ての間においてコンテンション・ベースの共有無線周波数スペクトル帯域のチャネルをリザーブまたは使用し得る。チャネルが利用可能でない（例えば、チャネルが別の送信装置によって使用またはリザーブされている）ことをＣＣＡプロシージャが示すとき、送信装置は、ＬＢＴ無線フレームの間にチャネルを使用することを妨げられ得る。
【００５３】
[0075]  図２Ａおよび２Ｂに示されているコンポーネントの数および配置は、一例として提供されている。実際は、ワイヤレス通信システム２００は、図２Ａおよび２Ｂに示されているものに対して、異なって配置されたデバイス、異なるデバイス、より少ないデバイス、または追加のデバイスを含み得る。
【００５４】
[0076]  図３は、本開示のさまざまな態様にしたがって、アンライセンス無線周波数スペクトル帯域上でのワイヤレス通信３１０の例３００の図である。いくつかの例では、ＬＢＴ無線フレーム３１５は、１０ミリ秒の持続時間を有し、複数のダウンリンク（Ｄ）サブフレーム３２０、複数のアップリンク（Ｕ）サブフレーム３２５、および２つのタイプの特別なサブフレームであるＳサブフレーム３３０とＳ’サブフレーム３３５とを含み得る。Ｓサブフレーム３３０は、ダウンリンク・サブフレーム３２０とアップリンク・サブフレーム３２５との間での遷移を提供し得、その一方でＳ’サブフレーム３３５は、アップリンク・サブフレーム３２５とダウンリンク・サブフレーム３２０との間での遷移を、いくつかの例では、ＬＢＴ無線フレーム間での遷移を、提供し得る。
【００５５】
[0077]  Ｓ’サブフレーム３３５の間において、ダウンリンク・クリア・チャネル・アセスメント（ＣＣＡ）３４５は、一定の時間期間の間、ワイヤレス通信３１０が生じるコンテンション・ベースの共有無線周波数スペクトル帯域のチャネルをリザーブするために、１つまたは複数の基地局、例えば、図１または２を参照して説明された基地局１０５、２０５、または２０５−ａのうちの１つまたは複数によって実施され得る。基地局によるダウンリンクＣＣＡプロシージャ３４５の成功に続いて、基地局は、基地局がチャネルをリザーブしていることの指示を他の基地局または装置（例えば、ＵＥ、ＷｉＦｉアクセス・ポイントなど）に提供するために、プリアンブル、例えばＣＵＢＳ（例えば、ダウンリンクＣＵＢＳ（Ｄ−ＣＵＢＳ３５０））を送信し得る。いくつかの例では、Ｄ−ＣＵＢＳ３５０は、複数のインターリーブされたリソース・ブロックを使用して送信され得る。このようにＤ−ＣＵＢＳ３５０を送信することは、Ｄ−ＣＵＢＳ３５０が、コンテンション・ベースの共有無線周波数スペクトル帯域の利用可能な周波数帯域の少なくとも特定のパーセンテージを占めること、および、１つまたは複数の規制上の要件（例えば、利用可能な周波数帯域幅の少なくとも８０％をアンライセンス無線周波数スペクトル帯域上での送信が占めるという要件）を満たすことを、可能にし得る。Ｄ−ＣＵＢＳ３５０は、いくつかの例では、ＬＴＥ／ＬＴＥ−Ａのセル固有の基準信号（ＣＲＳ）、またはチャネル状態情報基準信号（ＣＳＩ−ＲＳ）の形式と、同様の形式で行われ得る。ダウンリンクＣＣＡプロシージャ３４５が失敗した場合、Ｄ−ＣＵＢＳ３５０は、送信されない場合がある。
【００５６】
[0078]  Ｓ’サブフレーム３３５は、複数のＯＦＤＭシンボル期間（例えば、１４個のＯＦＤＭシンボル期間）を含み得る。Ｓ’サブフレーム３３５の第１の部分は、短縮されたＵＬ（Ｕ）期間３４０として、複数のＵＥによって使用され得る。Ｓ’サブフレーム３３５の第２の部分は、ＤＬ ＣＣＡプロシージャ３４５のために使用され得る。Ｓ’サブフレーム３３５の第３の部分は、Ｄ−ＣＵＢＳ３５０を送信するために、コンテンション・ベースの共有無線周波数スペクトル帯域のチャネルへのアクセスに対する競合に成功した１つまたは複数の基地局によって使用され得る。
【００５７】
[0079]  Ｓサブフレーム３３０の間に、ＵＬ ＣＣＡプロシージャ３６５は、１つまたは複数のＵＥ、例えば、図１、２Ａ、または２Ｂを参照して上述されたＵＥ１１５、２１５、２１５−ａ、２１５−ｂ、または２１５−ｃのうちの１つまたは複数、によって実施され、ワイヤレス通信３１０が生じるチャネルを、一定の時間期間の間、リザーブし得る。ＵＥによるＵＬ ＣＣＡプロシージャ３６５の成功に続いて、ＵＥは、ＵＥがチャネルをリザーブしていることの指示を他のＵＥまたは装置（例えば、基地局、ＷｉＦｉアクセス・ポイントなど）に提供するために、プリアンブル、例えばＵＬ ＣＵＢＳ（Ｕ−ＣＵＢＳ３７０）を送信し得る。いくつかの例では、Ｕ−ＣＵＢＳ３７０は、複数のインターリーブされたリソース・ブロックを使用して送信され得る。このようにＵ−ＣＵＢＳ３７０を送信することは、Ｕ−ＣＵＢＳ３７０が、コンテンション・ベースの無線周波数スペクトル帯域の利用可能な周波数帯域の少なくとも特定のパーセンテージを占めること、および、１つまたは複数の規制上の要件（例えば、利用可能な周波数帯域幅の少なくとも８０％をコンテンション・ベースの無線周波数スペクトル帯域上での送信が占めるという要件）を満たすことを、可能にし得る。Ｕ−ＣＵＢＳ３７０は、いくつかの例では、ＬＴＥ／ＬＴＥ−ＡのＣＲＳ、またはＣＳＩ−ＲＳの形式と、同様の形式で行われ得る。ＵＬ ＣＣＡプロシージャ３６５が失敗した場合、Ｕ−ＣＵＢＳ３７０は、送信されない場合がある。
【００５８】
[0080]  Ｓサブフレーム３３０は、複数のＯＦＤＭシンボル期間（例えば、１４個のＯＦＤＭシンボル期間）を含み得る。Ｓサブフレーム３３０の第１の部分は、短縮されたＤＬ（Ｄ）期間３５５として、複数の基地局によって使用され得る。Ｓサブフレーム３３０の第２の部分は、ガード期間（ＧＰ）３６０として使用され得る。Ｓサブフレーム３３０の第３の部分は、ＵＬ ＣＣＡプロシージャ３６５のために使用され得る。Ｓサブフレーム３３０の第４の部分は、Ｕ−ＣＵＢＳ３７０を送信するために、または、ＵＬパイロット・タイム・スロット（ＵｐＰＴＳ）として、コンテンション・ベースの無線周波数スペクトル帯域のチャネルへのアクセスに対する競合に成功した１つまたは複数のＵＥによって使用され得る。
【００５９】
[0081]  いくつかの例では、ダウンリンクＣＣＡプロシージャ３４５またはＵＬ ＣＣＡプロシージャ３６５は、単一のＣＣＡプロシージャの実施を含み得る。他の例では、ＤＬ ＣＣＡプロシージャ３４５またはアップリンクＣＣＡプロシージャ３６５は、拡張されたＣＣＡプロシージャの実施を含み得る。拡張されたＣＣＡプロシージャは、ランダムの数のＣＣＡプロシージャを含み得、いくつかの例では、複数のＣＣＡプロシージャを含み得る。
【００６０】
[0082]  上記に示されているように、図３は、一例として提供される。他の例が可能であり、図３に関連して説明されたものとは異なり得る。
【００６１】
[0083]  図４は、本開示のさまざまな態様にしたがって、コンテンション・ベースの共有無線周波数スペクトル帯域へのアクセスのために競合するときに送信装置によって実施されるＣＣＡプロシージャ４１５の例４００の図である。いくつかの例では、ＣＣＡプロシージャ４１５は、図３を参照して説明されたＵＬ ＣＣＡプロシージャを３６５またはＤＬ ＣＣＡプロシージャ３４５の例であり得る。ＣＣＡプロシージャ４１５は、固定の持続時間を有し得る。いくつかの例では、ＣＣＡプロシージャ４１５は、ＬＢＴフレーム・ベースの装置（ＬＢＴ−ＦＢＥ）プロトコルにしたがって実施され得る。ＣＣＡプロシージャ４１５に続いて、チャネル・リザービング信号、例えばＣＵＢＳ４２０が、送信され得、続いてデータ送信（例えば、ＵＬ送信またはＤＬ送信）が行われる。例の目的で、データ送信は、３個のサブフレームの意図された持続時間４０５および３個のサブフレームの実際の持続時間４１０を有し得る。
【００６２】
[0084]  上記に示されているように、図４は、一例として提供される。他の例が可能であり、図４に関連して説明されたものとは異なり得る。
【００６３】
[0085]  図５は、本開示のさまざまな態様にしたがって、コンテンション・ベースの共有無線周波数スペクトル帯域へのアクセスのために競合するときに送信装置によって実施されるｅＣＣＡプロシージャ５１５の例５００の図である。いくつかの例では、ｅＣＣＡプロシージャ５１５は、図３を参照して説明されたＵＬ ＣＣＡプロシージャを３６５またはＤＬ ＣＣＡプロシージャ３４５の例であり得る。ｅＣＣＡプロシージャ５１５は、ランダムの数のＣＣＡプロシージャを含み得、いくつかの例では、複数のＣＣＡプロシージャを含み得る。ｅＣＣＡプロシージャ５１５は、したがって、可変の持続時間を有し得る。いくつかの例では、ｅＣＣＡプロシージャ５１５は、ＬＢＴロード・ベースの装置（ＬＢＴ−ＬＢＥ）プロトコルにしたがって実施され得る。ｅＣＣＡプロシージャ５１５は、コンテンション・ベースの共有無線周波数スペクトル帯域にアクセスするための競合に勝利する絶大な可能性を、しかしより短いデータ送信の潜在的なコスト（potential cost）で、提供し得る。ｅＣＣＡプロシージャ５１５に続いて、チャネル・リザービング信号、例えばＣＵＢＳ５２０が、送信され得、続いてデータ送信が行われる。例の目的で、データ送信は、３個のサブフレームの意図された持続時間５０５および２個のサブフレームの実際の持続時間５１０を有し得る。
【００６４】
[0086]  上記に示されているように、図５は、一例として提供される。他の例が可能であり、それは図５に関連して説明されたものとは異なり得る。
【００６５】
[0087]  図６は、基地局／ｅＮＢ１０５およびＵＥ１１５の設計のブロック図を示し、それは、図１の複数の基地局／ｅＮＢのうちの１つおよび複数のＵＥのうちの１つであり得る。ｅＮＢ１０５は、アンテナ６３４ａ乃至６３４ｔを装備され得、ＵＥ１１５は、アンテナ６５２ａ乃至６５２ｒを装備され得る。ｅＮＢ１０５において、送信プロセッサ６２０は、データ・ソース６１２からデータを受信し、コントローラ／プロセッサ６４０から制御情報を受信し得る。制御情報は、物理ブロードキャスト・チャネル（ＰＢＣＨ）、物理制御フォーマット・インジケータ・チャネル（ＰＣＦＩＣＨ）、物理ハイブリッド自動再送要求インジケータ・チャネル（ＰＨＩＣＨ）、物理ダウンリンク制御チャネル（ＰＤＣＣＨ）などのためのものであり得る。データは、物理ダウンリンク共有チャネル（ＰＤＳＣＨ）などのためのものであり得る。送信プロセッサ６２０は、データ・シンボルおよび制御シンボルをそれぞれ取得するために、データおよび制御情報を処理（例えば、符号化およびシンボル・マッピング）し得る。送信プロセッサ６２０はまた、例えば、プライマリ同期信号（ＰＳＳ）、セカンダリ同期信号（ＳＳＳ）、およびセル固有の基準信号のための基準シンボルを生成し得る。送信（ＴＸ）複数入力複数出力（ＭＩＭＯ）プロセッサ６３０は、適用可能な場合、データ・シンボル、制御シンボル、および／または基準シンボルにおいて空間処理（例えばプリコーディング）を実施し得、出力シンボル・ストリームを変調器（ＭＯＤ）６３２a乃至６３２tに提供し得る。各変調器６３２は、出力サンプル・ストリームを取得するために、（例えば、ＯＦＤＭなどのために）それぞれの出力シンボル・ストリームを処理し得る。各変調器６３２は、ダウンリンク信号を取得するために、出力サンプル・ストリームをさらに処理（例えば、アナログに変換、増幅、フィルタリング、およびアップコンバート）し得る。変調器６３２a乃至６３２tからのダウンリンク信号は、それぞれ、アンテナ６３４a乃至６３４tを介して送信され得る。
【００６６】
[0088]  ＵＥ１１５において、アンテナ６５２a乃至６５２ｒは、ｅＮＢ１０５からダウンリンク信号を受信し得、受信された信号を復調器（ＤＥＭＯＤ）６５４a乃至６５４ｒに、それぞれ、提供し得る。各復調器６５４は、入力サンプルを取得するために、それぞれの受信された信号を調整（例えば、フィルタリング、増幅、ダウンコンバート、およびデジタル化）し得る。各復調器６５４はさらに、受信されたシンボルを取得するために、（例えば、ＯＦＤＭなどのために）入力サンプルを処理し得る。ＭＩＭＯ検出器６５６は、すべての復調器６５４ａ乃至６５４ｒからの受信されたシンボルを取得し、適用可能な場合、受信されたシンボルにＭＩＭＯ検出を実施し、検出されたシンボルを提供し得る。受信プロセッサ６５８は、検出されたシンボルを処理（例えば、復調、デインタリーブ、復号）し、データ・シンク６６０にＵＥ１１５のための復号されたデータを提供し、コントローラ／プロセッサ６８０に復号された制御情報を提供し得る。
【００６７】
[0089]  アップリンクにおいて、ＵＥ１１５では、送信プロセッサ６６４は、データ・ソース６６２から（例えば、ＰＵＳＣＨのための）データを、コントローラ／プロセッサ６８０から（例えば、ＰＵＣＣＨのための）制御情報を、受信および処理し得る。送信プロセッサ６６４はまた、基準信号のための基準シンボルを生成し得る。送信プロセッサ６６４からのシンボルは、適用可能な場合、ＴＸ ＭＩＭＯプロセッサ６６６によってプリコーディングされ、（例えば、ＳＣ−ＦＤＭなどのために）復調器６５４ａ乃至６５４ｒによってさらに処理され、ｅＮＢ１０５に送信され得る。ｅＮＢ１０５では、ＵＥ１１５からのアップリンク信号は、ＵＥ１１５によって送られた復号されたデータおよび制御情報を取得するために、アンテナ６３４によって受信され、変調器６３２によって処理され、適用可能な場合にはＭＩＭＯ検出器６３６によって検出され、受信プロセッサ６３８によってさらに処理され得る。プロセッサ６３８は、復号されたデータをデータ・シンク６４６に、復号された制御情報をコントローラ／プロセッサ６４０に提供し得る。
【００６８】
[0090]  コントローラ／プロセッサ６４０および６８０は、それぞれ、ｅＮＢ１０５およびＵＥ１１５において動作を指示し得る。ｅＮＢ１０５におけるコントローラ／プロセッサ６４０および／または他のプロセッサおよびコンポーネントは、本書で説明される技術のためのさまざまな処理の実行を実施または指示し得る。ＵＥ１１５におけるコントローラ／プロセッサ６８０および／または他のプロセッサおよびコンポーネントはまた、図１２乃至１７、および図２０乃至２２において示される機能ブロック、および／または、本書で説明される技術のための他の処理の実行を、実施または指示し得る。メモリ６４２および６８２は、それぞれ、ｅＮＢ１０５およびＵＥ１１５のためのデータおよびプログラム・コードを記憶し得る。スケジューラ６４４は、ダウンリンクおよび／またはアップリンク上のデータ送信のためにＵＥをスケジュールし得る。
【００６９】
[0091]  デバイス、例えばＵＥは、信号を受信および／または送信するために使用するための複数のアンテナ（Ｎ）を有し得る。デバイスは、特定の無線アクセス技術（ＲＡＴ）、例えばＬＴＥ、ＷｉＦｉなどのために、特定のキャリア周波数のために、またはそれら両方のために、使用するアンテナの使用および割り当てを分割し得る。例えば、デバイスは、ＣＡの場合には１つのキャリアに対して固定数のアンテナを使用し得、または、デバイスがＷｉＦｉとＬＴＥのような他の技術との両方をサポートする場合には、ＷｉＦｉに対して固定数のアンテナを使用し得る。１つの例では、ＵＥは、４つのアンテナを有し、それらアンテナのうちの２つをＷｉＦＩ通信に割り当て、２つのアンテナをＬＴＥ通信に割り当て得る。デバイス、例えばＵＥはまた、１つの技術または１つのキャリア（アンテナ選択）に対してアンテナの数を動的に、または準静的に選択し得る。このような動的または準静的なスキームにおいて、共有または選択は、特定の測定結果、例えば、チャネル品質インジケータ（ＣＱＩ）、基準信号受信電力（ＲＳＲＰ）など、によってトリガされ得る。
【００７０】
[0092]  通信ネットワーク、例えばＬＴＥ、周波数分割多元（ＦＤＭ）インプリメンテーションおよび時分割多元（ＴＤＭ）インプリメンテーションを有し得る。ＦＤＭインプリメンテーションにおいてオプションを共有することは、異なる複数のアンテナを実際に共有しているのではなく、むしろ、アンテナ上で受信される周波数スペクトルを共有している。例えば、ＵＥは、異なるエア・インターフェースに対して同時にすべてのアンテナを使用するためにダイプレクサ／スイッチを使用し得る。ダイプレクサ／スイッチは、望ましくない周波数を除去することによってフィルタの機能を果たす。しかしながら、このようなＦＤＭ共有スキームにおいて、典型的に、信号がフィルタ処理されるときに信号強度に相当の損失がある。このような損失はまた、より高い周波数帯域で増大し得る。ＴＤＭインプリメンテーションは、実際には、各エア・インターフェース／技術に対して別個のアンテナを、使用または割り当て得る。かくして、このようなエア・インターフェース／技術上での通信が使用中でない場合、使用されていない通信に割り当てられた、または指定されたこれらのアンテナは、他のエア・インターフェース／技術で共有され得る。本開示のさまざまな態様は、ＴＤＭインプリメンテーションを使用する通信システムを対象にする。
【００７１】
[0093]  図４および５に関連して示されるように、ＬＡＡ ＬＴＥにけるダウンリンク送信に関して、ノードは、送信の前にＣＣＡ／ｅＣＣＡを実施しなければならない。アップリンク送信に関しては、ＵＥはそれがスケジュールされるまで送信しない可能性がある。その結果、アップリンク送信に関してＵＥをスケジュールするために、ｅＮＢはＵＥにスケジューリング情報を送信するために、ＣＣＡ／ｅＣＣＡプロシージャを実施することによって、媒体を獲得しなければならない。スケジューリング情報を受信した後、ＵＥはまた、データを送信するために、ＣＣＡ／ｅＣＣＡプロシージャを実施することによって、媒体を獲得する必要がある。
【００７２】
[0094]  ＵＬヘビー構造（またはシナリオ）に関しては、標準のフレーム・ベースの通信構造では不十分であり得る。まず、ｅＮＢは、多数のＷｉＦｉノードの存在下では媒体を獲得することが困難であり得る。さらに、ＵＥにおける干渉状況が不明瞭であり、その結果、スケジュールされたリソースにおいて媒体を獲得するために個々のＣＣＡ／ｅＣＣＡの成功を実施するための各スケジュールされたＵＥの能力は、スケジュールされた後、不安定および未知である。最後に、ＵＥが（他のＵＥに対して）媒体を獲得する割合は、媒体の正しい使用をもたらさない可能性がある。
【００７３】
[0095]  本書に開示されるさまざまな態様は、ｅＮＢがコンテンション・ベースのキャリア環境において異なるＵＥにスペクトルをより確実に割り当てることができるメカニズムを提供する。特定の態様は、ＵＥが、コンテンション・ベースのスペクトルの獲得後に、そのスペクトルにおけるＵＬ送信のためのリソースの割り当てを承認するグラントを受信することができる技術に関する。他の態様は、任意のシリーズの後続するＵＬサブフレームをサポートしながらＤＬ送信の前にＵＥにフレームのＤＬ部分を指示するだけでＤＬ：ＵＬサブフレームのフレキシブルな割合に対応することができるフレキシブルなフレーム構造に関する。
【００７４】
[0096]  図７は、ＰＵＳＣＨにおけるコンテンション・ベースのアクセスの代替案の態様を示す。図７において、（例えば、図４および５において示されているように）ＣＣＡ／ｅＣＣＡのクリアリング時に、スケジュールされた変調および符号化スキーム（ＭＣＳ）に基づいてＰＵＳＣＨ上でデータを送信するのではなく、ＵＥ７０２は、代わってＳＣＣにおいてスケジュール要求（ＳＲ）７０８を送り得、それはＣＣＡ／ｅＣＣＡのクリアリング時にスケジュールされている。ＳＲは、ＳＲの送信より前にｅＮＢ７０４から受信された仮のＵＬグラント７０６に基づき得る。ＳＲに応答して、ｅＮＢ７０４は、ＵＥへの仮のＵＬグラントが承認されることを指示するために、グラント承認７１０を送信し得る。
【００７５】
[0097]  第１の態様では、仮のＵＬグラント７０６は、ＵＬ送信のために変調および符号化を割り当て、特定のアップリンク・リソースを含み得る。グラント承認７１０は、データ送信のためにＵＥにＵＬリソースをグラント／承認し得る。
【００７６】
[0098]  第２の態様では、仮のＵＬグラント７０６は、特定のアップリンク・リソースを割り当てることなしに、ＵＬ送信のために変調および符号化を割り当て得る。この態様では、仮のグラントは、ＵＬ送信のためのサブフレームを潜在的に制限し得る。例えば、仮のグラントは、アップリンク送信のための潜在的なリソースのセットを特定し得る。したがって、グラント承認は、ＵＬ送信のためにどのアップリンク・リソースがＵＥに割り当てられるかを特定し得る。
【００７７】
[0099]  第３の態様では、仮のＵＬグラント７０６は、複数の潜在的なアップリンク送信プロパティ・セットを特定し得、各セットは、アップリンク・リソース、変調および符号化スキーム、または他の送信情報を含む。この態様では、仮のグラントは、ＵＬ送信のための複数の送信プロパティ・セットのうちの１つを特定し得る。例えば、仮のグラントは、アップリンク送信のために使用するためのセットを特定し得る。したがって、グラント承認は、リザーブされたリソースのうちのいずれがＵＬ送信のためにＵＥに割り当てられるかを特定し得、特定された送信プロパティに基づいて送信し得る。
【００７８】
[00100]  承認されたグラントを受信した後に、ＵＥは、ＵＬグラントにしたがってデータを送信７１２する。仮のグラントは、セミパーシステント・スケジューリング（ＳＰＳ：Semi-Persistent Scheduling）グラントであり得る。これは、ＵＬトラフィックをスケジュールするために、ｅＮＢが媒体を連続的に承諾する必要性を解消し得る。
【００７９】
[00101]  ＳＲのための送信時間は短い可能性がある。ＳＲは、約１ＣＣＡスロット、例えば２０μｓに対応し得る。ＳＲはまた、２０μｓより短い長さを有するように構成され得る。代わって、ＳＲはまた、２０μｓより長い可能性がある。
【００８０】
[00102]  ＳＲは、ＵＥが競合に勝利したことを指示するペイロードを含み得る。ｅＮＢによって送られるグラント構成は、例えば１ＣＣＡスロット後に、送信され得る。グラント構成は、ＵＥが、ＰＵＳＣＨ上において、それの仮のグラントにおいて事前にスケジュールされたＭＣＳで、送信すべきであることを、指示し得る。グラント承認は、ＵＬ送信のためにＵＥにリソースを割り当て得る。応答時間は、フレーム間の間隔より２０μｓ短い可能性がある。ＵＬグラント承認の送信時間は、約１ＣＣＡスロット、例えば２０μｓに対応し得る。他の例では、グラント承認は、２０μｓより長い、または短い可能性があり得る。
【００８１】
[00103]  ＳＲは、ｅＮＢにＵＥを特定し得る。例えば、ＳＲは、ＵＥを特定するときにｅＮＢを割り当てるシグネチャ・シーケンスを含み得る。ｅＮＢは、ＳＲを受信し、ＳＲを送るＵＥを決定するためにＳＲを復号し得る。グラント承認は、グラント承認が向けられるＵＥを特定するために、シグネチャ・シーケンスを使用し得る。例えば、グラント承認は、グラント承認の対象となるＵＥによって送られるＳＲと同じシグネチャ・シーケンスを含み得る。
【００８２】
[00104]  このスケジューリングは、ＷｉＦｉメカニズムに勝る利点を提供する。例えば、競合し合うＵＥがＳＲにおいて異なるシグネチャ・シーケンスを選択する限り、ＳＲ上の衝突が解消されることができる、というのも、ｅＮＢは、どのＵＥがグラント承認を受信するかを決定し、その結果にしたがってデータを送信し始めるからである。さらに、衝突が解消されることができる場合、ロングの指数バック・オフ（long exponential back off）がＳＲには必要でない。シグネチャ・シーケンスは、コール・セット・アップにおいてサービングｅＮＢによって管理されることができる。初期のアクセスは、ＳＩＢにおいて通知されたシーケンスのランダムな選択に基づくことができる。指数バック・オフは依然として、例えば初期のアクセスに対して、適用され得る。
【００８３】
[00105]  承認されたＵＬグラントはＣＣＡプロシージャに後続する必要が無いので、物理レイヤ設計は、バースト的な干渉（bursty interference）の原因となり得る。シグナリングは、キャリア・イーサネット（登録商標）トランスポート（ＣＥＴ）の一部として制御され得る。
【００８４】
[00106]  図８および９は、このようなＵＬスケジューリング・プロシージャのためのタイムライン間隔の例を示す。図８および９に示されているように、仮のグラント、ＳＲ、およびグラント承認の使用は、ＷｉＦｉにおけるアービトレーション・フレーム間間隔（ＡＩＦＳ：Arbitration Inter-Frame Spacing）と同様の、フレーム間の間隔を可能にする。例えば、図８は、ｅＮＢからのＵＬ送信のために仮のグラントを受信した後に、ＵＥがｅＮＢにＳＲ９０２を送信することを示す。ｅＮＢはＳＲを受信すると、承認されたグラント９０４によってＵＥに応答し得る。そして、ＵＥは、例えば、承認されたグラント９０４において特定されたリソースにしたがって、ＰＵＳＣＨ９０６上でデータを送信し得る。図示されているように、ＳＲは、約２０μｓ、すなわち約１ＣＣＡスロットの長さであり得る。ＳＲは短いほど、ｅＮＢによるより高速の復号を可能にするので、より好ましい。図示されているように、グラント承認は、約２０μｓ、すなわち約１ＣＣＡスロットの長さであり得る。グラント承認はまた、より長い可能性もある。
【００８５】
[00107]  ＳＲ９０２およびグラント承認９０４は、例えば、約２０μｓ、すなわち約１ＣＣＡスロットの長さだけ、互いに離間され得る。ＵＥにおけるグラント承認の受信に続いて、ＵＥは、ＰＵＳＣＨ上でデータを送信９０６し始める。このデータ送信９０６は、グラント承認９０４から離間され得る。ＳＲ９０２とグラント承認９０４との間の間隔８０８および、グラント承認９０４とデータ送信９０６との間の間隔８１０は、短い、例えば、約２０μｓ、すなわち約１ＣＣＡスロットであるように構成され得る。短い間隔を維持することは、別のＵＥまたはｅＮＢがプロシージャ中でＣＣＡ／ｅＣＣＡをクリアリングすることを防ぎ、したがって、データ送信９０６との衝突を防ぐ。示されているように、間隔８１２はまた、ｅＮＢからＵＥおよびＳＲ９０２への仮のグラントの送信の間に提供され得る。
【００８６】
[00108]  図９は、例えばｅＣＣＡと関連して使用するための、拡張されたタイムラインを例示する。図９は、間隔９０８および９１０は約２０μｓであり得すなわちＡＩＦＳより短いということを除いて、図８と同様である。
【００８７】
[00109]  典型的に、送信機は、送信することが可能となる前に、１０スロットに対してＣＣＡをクリアリングすることを必要とされ得る。仮のＵＬグラント、ＳＲ、およびグラント承認の使用は、送信機が、２０マイクロ秒にわたって２つの連続したＣＣＡのみをクリアリングする場合に送信することを可能にする。例えば、たとえ第２のＵＥが、第１のＵＥのＳＲとグラント承認との間の間隔９０８の間に、または、グラント承認とデータ送信との間の間隔９１０の間に、ＣＣＡをクリアリングする場合であっても、連続したＣＣＡにおける送信に直面し得る。かくして、次の連続した２０μｓにわたって第２のＣＣＡをクリアリングすることを第２のＵＥに要求することによって、第２のＵＥは、第１のＵＥに対応するデータ送信、グラント承認、またはＳＲのうちの少なくとも１つを検出し得る。
【００８８】
[00110]  図１０は、ＳＣＣにおいて送信されるＳＲによるＣＡモードにおけるＵＬスケジューリングの例を示す。図１０は、セカンダリ・サービング・セル（Ｓｃｅｌｌ）によって供給されるＳＣＣにおいて送信するｅＮＢに関わるＤＬ送信構成１００２を例示する。ＳＣＣは、アンライセンス・スペクトル上で動作するキャリアであり得る。しかしながら、他のインプリメンテーションでは、ＳＣＣは、ライセンスの場合も、アンライセンスの場合もあり得る。
【００８９】
[00111]  構成１００２において、Ｓｃｅｌｌ送信は、ＣＣＡ／ｅＣＣＡ、ＷｉＦｉプリアンブル（例えば、Ｌ−ＳＴＦ、Ｌ−ＬＴＦ、Ｌ−Ｓｉｇなど）およびＣＵＢＳに関わる一部分を含み、その後に、複数のＤＬサブフレームおよび１つのＳサブフレームが続く。Ｓサブフレームの後に、媒体は、ビジー（busy）であると示される。ｅＮＢは再度送信することが可能になるとき、その構成は、ＣＣＡ、ＷｉＦｉプリアンブル、ＣＵＢＳ、およびＤＬサブフレームで繰り返す。
【００９０】
[00112]  また、２個のＵＥに関わるＵＬ送信構成１００４および１００６において、ＵＥ１およびＵＥ２が、それぞれ示されている。ｅＮＢは、同時に２個以上のＵＥに仮のグラントを送り得る。かくして、図１０は、ＵＥ１およびＵＥ２の両方がｅＮＢから仮のＵＬグラント１００８および１０１０を、それぞれ、受信することを例示する。ＵＬグラントは、ＵＬサブフレームのためにリザーブされた時間の間に受信され得る。仮のグラントは、プライマリ・サービング・セル（Ｐｃｅｌｌ）によって供給されるＰＣＣにおいて送信され得る。Ｐｃｅｌｌにおいて仮のグラントを送信することによって、グラントは、より確実に受信されることができる。
【００９１】
[00113]  図１０は、各ＵＥがｅＮＢから仮のＵＬグラントの複数のＤＬ送信を受信し得る例を示す。仮のグラントの受信時に、ＵＥは、ＣＣＡ／ｅＣＣＡを実施し得る。ＵＥがＣＣＡプロシージャをパスする場合、ＵＥは、図示されていないが、ＳＲを送信する。ＳＲの受信時に、ｅＮＢはグラント承認を送信する。ｅＮＢは、ＵＥからＳＲを受信するまでＵＥに仮のグラントを繰り返し送信し続け得る。逆に、ｅＮＢは、各ＵＥに対してサブフレームごとに１つのＵＬグラントをシグナリングし得る。仮のグラントが半固定のグラントであるか個別のグラントであるかに関わらず、ＵＥは、それが競合に勝利した後にＳＲ送信に応答してｅＮＢからグラント承認を受信するまで、データを送信するのを待つように構成され得る。
【００９２】
[00114]  図１１は、Ｓｃｅｌｌにおいてグラント承認を送信するｅＮＢを例示する。ｅＮＢは、複数のＵＥ、例えばＵＥ１およびＵＥ２からＳＲを受信し得る。この場合、ｅＮＢは、どの（１つまたは複数の）ＵＥがグラント承認を受信するか選択し得る。ＳＲは、ｅＮＢが、異なるＵＥから明らかな重複したＳＲを検出することを可能にするように、構造化され得る。１つの例では、異なるユーザに関わるＳＲは、異なるシグネチャ・シーケンスを使用し得る。そのことは、たとえ異なるＵＥがまったく同時に、または時間的に互いに重複して、媒体に接近したとしても、どのＵＥが、例えば媒体をつかむためにＳＲを送信するか検出することを、ｅＮＢに可能にし得る。別の例では、各ＵＥは、単に、メッセージ中に識別子（例えば、Ｃ−ＲＮＴＩ）を備えたショート・メッセージを送り得る。
【００９３】
[00115]  図１１は、例えばアンライセンス・キャリアにおけるＳＲによる、シングル・キャリア・モードに関わるＵＬスケジューリングの例を示す。図１１では、仮のグラント自体は、アンライセンス帯域において送られ得る。かくして、ＵＥ１およびＵＥ２は、アンライセンス帯域において仮のグラントを受信し、アンライセンス帯域においてＣＣＡ／ｅＣＣＡを実施する。ＵＥのうちの１つがＣＣＡ／ｅＣＣＡをパスする場合、ＵＥは、ｅＮＢに、アンライセンス帯域においてＳＲを送信する。ｅＮＢは、アンライセンス帯域においてグラント承認で応答する。かくして、ｅＮＢ ＤＬ送信１１０２、ＵＥ１からの送信１１０４、およびＵＥ２からの送信１１０６は、アンライセンス帯域上であり得る。この例では、仮のグラントは、図１０のように、それがＰｃｅｌｌ上にある場合ほど頻繁には送信されない可能性がある。さらに、この態様では、各ＵＬグラントは、複数のＵＬサブフレーム上のリソースに対応し得、それは連続的でも、非連続的でもあり得る。１つの例では、ｅＮＢは、仮のグラントで複数のＵＥをスケジュールし、そして、それらのＵＥがスケジュールされたリソースのために競合することを可能にし得る。グラント承認は、ｅＮＢがどのＵＥが送信し続けるべきかを指示するので、スケジュールされたリソースの間にどのＵＥが送信することができるかに関する不確実性を解消する。このことは、データ送信の間の衝突を防ぐのを助ける。
【００９４】
[00116]  ＵＥは、それがｅＮＢから応答、例えばグラント承認を受信するまで、または、指定された時間の終了まで、ＳＲを送信し続け得る。さらに、ＵＥが、それがグラント承認を受信するまでＳＲを送信し続け得る場合、ＵＥは、それがグラント承認を受信するのと同時にＳＲを送信し得る。
【００９５】
[00117]  ＳＲはまた、追加の情報を備え得る。特に、このような追加の情報は、ＵＥが競合に勝利したことの指示を備え得る。それはまた、バッファ状態報告および任意の他の制御シグナリングを含み得る。
【００９６】
[00118]  仮のＵＬグラントを送信した後に、ｅＮＢは、それが仮のアップリンク・グラントを送信した（１つまたは複数の）ＵＥからのＳＲを復号するように試みる。例えば、ｅＮＢは、対応するＳＣＣにおいて（１つまたは複数の）ＵＥによって送信されたＳＲを検出するように試み得る。
【００９７】
[00119]  ＳＲの受信時に、ｅＮＢは、ＵＥにグラント承認を送信し、そのＵＥに対してｅＮＢはＳＲを検出する。グラント承認は、ＵＬデータ送信のために例えばリソースのグラントを備え得る。例えば、仮のグラントは、変調と符号化を、しかしリソースの割り当てなしで、備え得る。そして、グラント承認は、ＵＥがＳＲを送ることによってＣＣＡ／ｅＣＣＡをパスしたことを指示した後に、ＵＥにリソースを割り当て得る。示されているように、グラント承認割当ては、ＳＣＣ、例えばコンテンション・ベースのキャリア上で送られ得る。
【００９８】
[00120]  グラント承認は、アップリンク衝突を避ける方法でＣＣＡ／ｅＣＣＡをパスする複数のＵＥにＵＬリソースを割り当て得る。
【００９９】
[00121]  図１２は、ワイヤレス通信の方法のフロー・チャート１２００である。方法は、ＵＥ（例えば、ＵＥ１１５、ＵＥ１１５−ａ、１１５−ｂまたは装置１３０２、１３０２’）によって実施され得る。１２０２において、ＵＥは、ｅＮＢから仮のグラントＵＬ割り当てを受信する。例えば、ＵＥは、図８および１０に示されているように、非コンテンション・ベースのキャリア、例えば、Ｐｃｅｌｌによって供給されるＰＣＣ、上で、または、図９に示されているように、Ｓｃｅｌｌによって供給されるＳＣＣにおいて、仮のグラントＵＬ割り当てを受信し得る。ＳＣＣは、コンテンション・ベースのキャリアを備え得る。仮のグラント割り当ては、例えば、コンテンション・ベースのキャリアにおいて、ターゲットＭＣＳを備え得る。１つの例では、コンテンション・ベースのキャリアは、ＳＣＣを備え得る。
【０１００】
[00122]  １２０４において、ＵＥは、仮のグラントＵＬ割り当てに基づいて、ＣＣＡ／ｅＣＣＡ動作を実施する。ＵＥは、１２０６においてＣＣＡ／ｅＣＣＡチェックがパスされるかどうかを決定する。
【０１０１】
[00123]  ＵＥがＣＣＡ／ｅＣＣＡ動作をパスすると、ＵＥは、仮のグラントＵＬ割り当てに基づいて、１２０８において、ＳＲを送信する。ＳＲは、ＰＲＡＣＨのようなランダム・アクセス信号を備え得る。ＳＲは、図１０に関連して説明されたように、約１ＣＣＡスロットであり得る。
【０１０２】
[00124]  ＳＲは、例えば、ＳＣＣのようなコンテンション・ベースのキャリア上で、送信され得る。例えば、ＵＥがＳＣＣにおいてターゲットＭＣＳに関わる仮のグラントＵＬ割り当てを受信する場合、ＵＥは、それのＳＣＣに関わるＣＣＡ／ｅＣＣＡチェックを実施し得、それのＳＣＣにおいてＳＲを送信し得る。
【０１０３】
[00125]  ｅＮＢは、複数のＵＥへの割り当てで、仮のグラントＵＬ送信を送り得る。かくして、ＳＲは、他のアクティブなＵＥの中から、仮のグラントＵＬ割り当てが送られたＵＥを独自に特定し得る。例えば、ＳＲは、ＳＲを送信するためにどのＵＥがＣＣＡ／ｅＣＣＡをパスしたかを特定するために、ｅＮＢによって使用されることができるシグネチャ・シーケンスを備え得る。ＵＥによる選択のためのシグネチャ・シーケンスは、ｅＮＢによって管理され得る。例えば、初期のアクセスは、ＳＩＢにおいて通知されたシーケンスのランダムな選択に基づき得る。ＳＲは、追加の情報を備え得る。例えば、ＳＲは、ＵＥが競合に勝利したことを指示するペイロードを備え得る。
【０１０４】
[00126]  ＵＥは、ｅＮＢからのグラント承認応答を受信するまで、ＳＲを送信し続け得る。ｅＮＢから応答が受信されない場合、ＵＥは、指定された期間の終了までＳＲを送信し続け得る。
【０１０５】
[00127]  ＵＥは、ｅＮＢからのグラント承認を受信し得、それは、ＵＥによるＳＲの送信に応答して、ＵＬデータ送信のためのリソースをＵＥに割り当てる。グラント承認は、ＳＣＣにおいて受信され得る。グラント承認は、図１０に関連して説明されたように、約１ＣＣＡスロットであり得る。
【０１０６】
[00128]  かくして、１２１０において、ＵＥは、グラント承認がｅＮＢから受信されたかどうかを決定する。ｅＮＢが複数のＵＥに仮のグラントを送信した場合、グラント承認は、複数のＵＥのうちのいずれがリソースを与えられるかを指示し得る。例えば、グラント承認は、リソースが与えられていることをＵＥに指示するために、ＳＲにおいてＵＥによって送られる同じシグネチャ・シーケンスを含み得る。
【０１０７】
[00129]  仮のグラント割当ては、特定のリソースを与えることなしにＵＬ送信のために使用されるＵＥ変調および符号化を与え得る。かくして、グラント承認はまた、ＵＬデータ送信のためにリソースのグラントを含み得る。
【０１０８】
[00130]  １２１２において、ＵＥは、グラント承認を受信した後にＳＣＣにおいてデータを送信する。グラント承認が１２１０において受信されない場合、ＵＥは、再度ＣＣＡ／ｅＣＣＡを実施し、競合に勝利した場合に別のＳＲを送信し得る。
【０１０９】
[00131]  図９Ａおよび９Ｂに関連して説明されるように、グラント承認は、ＣＣＡ動作から離間され得る。仮のグラントおよびＳＲは、互いに離間され得る。ＳＲおよびグラント承認は、同様に、互いに離間され得る。例えばＳＲとグラント承認との間の間隔は、約１ＣＣＡスロット、すなわち約２０μｓであり得る。
【０１１０】
[00132]  仮のグラントＵＬ割り当ておよびグラント承認は、図１１に示されているように、コンテンション・ベースのキャリアにおいて受信され得る。代替として、仮のグラントＵＬ割り当ては、図８および１０に関連して示されているように、非コンテンション・キャリアであり得るＰｃｅｌｌのような、非コンテンション・キャリア上で受信され得る。仮のグラントＵＬ割り当てのためのＰｃｅｌｌの使用は、それがより一貫して送られることを可能にし得る。
【０１１１】
[00133]  図１３は、例証的な装置１３０２における異なる手段／コンポーネント間でのデータ・フローを例示する概念的なデータ・フロー図１３００である。装置は、ｅＮＢ１３５０からの送信１３０１を受信し且つｅＮＢ１３５０への送信１３０３を送るＵＥであり得る。装置は、ｅＮＢ１３５０からの送信１３０１を受信し且つ装置１３０２の他のコンポーネントに送信を伝達する受信コンポーネント１３１２を含む。例えば、仮のグラントＵＬ割り当てが受信コンポーネント１３１２において受信されるとき、受信コンポーネント１３１２は、１３０５において、仮のＵＬグラント・コンポーネント１３０４に仮のグラントを出力し得る。仮のＵＬグラント・コンポーネント１３０４は、ＵＬ送信のためのＳＲ要求スケジューリングのための変調および符号化を決定するために、仮のＵＬグラント割当てを処理し得る。ＵＬ送信は、ＳＣＣのようなコンテンション・ベースのキャリア上にあり得る。かくして、仮のＵＬグラント・コンポーネント１３０４は、この情報をＣＣＡ／ｅＣＣＡコンポーネント１３０６に提供し得、それは、１３０７において受信される情報を使用して仮のＵＬグラント割り当てに基づいてＣＣＡ／ｅＣＣＡ動作を実施するように構成されている。そしてＣＣＡ／ｅＣＣＡコンポーネント１３０６は、ＣＣＡ／ｅＣＣＡを実施するために送信コンポーネント１３１４に対する命令を、１３０９において出力する。ＣＣＡ／ｅＣＣＡコンポーネントは、例えば、受信コンポーネント１３１２においてｅＮＢから受信された送信に基づいて、ＣＣＡ／ｅＣＣＡ動作が成功することを決定し得、１３１１において、ＣＣＡ／ｅＣＣＡコンポーネント１３０６に出力し得る。そしてＣＣＡコンポーネント１３０６は、ＣＣＡ／ｅＣＣＡ動作が成功したことの指示を、１３１３においてＳＲコンポーネント１３０８に出力し得る。１３１５において仮のＵＬグラント・コンポーネント１３０４からＳＲコンポーネント１３０８に出力された情報を使用して、ＳＲコンポーネント１３０８は、ＣＣＡ動作が成功する場合に仮のグラントＵＬ割り当てに基づいてＳＲを送信するために、１３１７において送信コンポーネント１３１４に命令を出力する。ＳＲは、装置１３０２からのアップリンク・データ送信に関わるリソースを特定するグラント承認情報を送るために、ｅＮＢによって使用され得る。かくして、受信コンポーネント１３１２は、ＳＲ送信に応答してグラント承認を受信し得、グラント承認コンポーネント１３１０へグラント承認に関わる情報を１３１９において出力し得る。グラント承認コンポーネント１３１０は、例えば１３２１において、グラント承認で特定されたリソースにおけるデータ送信のために送信コンポーネント１３１４に命令を出力し得る。
【０１１２】
[00134]  装置は、図１２、図２０および図２２の上述のフロー・チャートにおけるアルゴリズムのブロックの各々を実施する追加のコンポーネントを含み得る。したがって、図１２、図２０および図２２の前述のフロー・チャートにおける各ブロックは、あるコンポーネントによって実施され得、装置は、これらのコンポーネントのうちの１つまたは複数を含み得る。コンポーネントは、記載されたプロセス／アルゴリズムを実行するように特に構成されているか、記載されたプロセス／アルゴリズムを実施するように構成されたプロセッサによってインプリメントされているか、プロセッサによるインプリメンテーションのためにコンピュータ可読媒体内に記憶されているか、またはそれらの何らかの組み合わせである、１つまたは複数のハードウェア・コンポーネントであり得る。
【０１１３】
[00135]  図１４は、処理システム１４１４を用いる装置１３０２’のためのハードウェア・インプリメンテーションの例を例示する図１４００である。処理システム１４１４は、概してバス１４２４によって表される、バス・アーキテクチャを用いてインプリメントされ得る。バス１４２４は、処理システム１４１４の特定のアプリケーションおよび全体的な設計制約に依存して、任意の数の相互接続バスおよびブリッジを含み得る。バス１４２４は、プロセッサ１４０４、コンポーネント１３０４、１３０６、１３０８、１３１０、１３１２、１３１４、１３３０、およびコンピュータ可読媒体／メモリ１４０６によって表される、１つまたは複数のプロセッサおよび／またはハードウェア・コンポーネントを含むさまざまな回路をリンクする。バス１４２４はまた、タイミング・ソース、周辺機器、電圧レギュレータ、および電力管理回路のようなさまざまな他の回路をリンクし得、それらは、当該技術において良く知られており、したがって、これ以上は説明されない。
【０１１４】
[00136]  処理システム１４１４は、トランシーバ１４１０に結合され得る。トランシーバ１４１０は、１つまたは複数のアンテナ１４２０に結合される。トランシーバ１４１０は、送信媒体を通じてさまざまな他の装置と通信するための手段を提供する。トランシーバ１４１０は、１つまたは複数のアンテナ１４２０から信号を受信し、受信された信号から情報を抽出し、抽出された情報を処理システム１４１４、具体的には受信コンポーネント１３１２に提供する。さらに、トランシーバ１４１０は、処理システム１４１４、具体的には送信コンポーネント１３１４から情報を受信し、受信された情報に基づいて、１つまたは複数のアンテナ１４２０に適用される信号を生成する。処理システム１４１４は、コンピュータ可読媒体／メモリ１４０６に結合されたプロセッサ１４０４を含む。プロセッサ１４０４は、コンピュータ可読媒体／メモリ１４０６上に記憶されたソフトウェアの実行を含む一般の処理を担う。ソフトウェアは、プロセッサ１４０４によって実行されるとき、処理システム１４１４に、任意の特定の装置に関して上記に説明されたさまざまな機能を実施させる。コンピュータ可読媒体／メモリ１４０６はまた、ソフトウェアを実行するときにプロセッサ１４０４によって操作されるデータを記憶するために使用され得る。処理システムはさらに、コンポーネント１３０４、１３０６、１３０８、１３１０、１３１２、１３１４、および１３３０のうちの少なくとも１つを含む。コンポーネントは、プロセッサ１４０４において実行中であり且つコンピュータ可読媒体／メモリ１４０６中に存在する／記憶されたソフトウェア・コンポーネント、プロセッサ１４０４に結合された１つまたは複数のハードウェア・コンポーネント、またはそれらの何らかの組み合わせであり得る。処理システム１４１４は、ＵＥ１１５、１１５−ａ、１１５−ｂ、または１３０２のコンポーネントであり得、メモリ６８２および／またはＴＸプロセッサ６６４、ＲＸプロセッサ６５８、およびコントローラ／プロセッサ６８０のうちの少なくとも１つを含み得る。
【０１１５】
[00137]  １つの構成では、ワイヤレス通信のための装置１３０２／１３０２’は、仮のＵＬグラント・コンポーネント１３０４および／または受信コンポーネント１３１２のような、ＵＥにおいて仮のＵＬ割り当てを受信するための手段と、仮のグラント割当てに基づいてコンテンション・ベースのキャリアであるＳＣＣにおいてクリア・チャネル・アセスメント（ＣＣＡ）動作を実施するための手段と、を含む。このような手段は、ＣＣＡ／ｅＣＣＡコンポーネント１３０６を含み得る。装置は、ＳＲコンポーネント１３０８および／または送信コンポーネント１３１４のような、ＣＣＡ動作が成功する場合にＳＣＣにおいてＳＲを送信するための手段を含み得、ＳＲは、ｅＮＢに対するＵＥを特定する。装置１３０２／１３０２’はさらに、グラント承認コンポーネント１３１０および／または受信コンポーネント１３１２のような、ＳＲ送信に応答してＳＣＣにおいてグラント承認を受信するための手段を含み得る。グラント承認は、データ送信のためにＵＥに対するグラントＵＬリソースを含み得る。仮のグラントＵＬ割り当ておよびグラント承認は、コンテンション・ベースのキャリアにおいて受信され得る。仮のグラントＵＬ割り当ては、非コンテンション・ベースのキャリア、例えばＰｃｅｌｌ、において受信され得る。グラント承認が受信されると、装置は、グラント承認において与えられるリソースに基づいてデータを送信するように構成され得る。かくして、装置１３０２／１３０２’は、グラント承認に応答してデータを送信するための手段を含み得、それは、データ送信のためのリソースを割り当てる。前述された手段は、前述された手段によって記載された機能を実施するように構成されている装置１３０２’の処理システム１４１４および／または装置１３０２の前述されたコンポーネントのうちの１つまたは複数であり得る。上記に説明されたように、処理システム１４１４は、ＴＸプロセッサ６６４、ＲＸプロセッサ６５８、およびコントローラ／プロセッサ６８０を含み得る。したがって、一構成において、前述の手段は、前述の手段によって記載された機能を実施するように構成されたＴＸプロセッサ６６４、ＲＸプロセッサ６５８、およびコントローラ／プロセッサ６８０であり得る。
【０１１６】
[00138]  図１５は、ワイヤレス通信の方法のフロー・チャート１５００である。方法は、ｅＮＢ（例えば、ｅＮＢ１０５、１０５−ａ、１０５−ｂまたは装置１６０２、１６０２’）によって実施され得る。図１５において、破線の境界で表されたステップ、例えばステップ１５０８、は、任意のステップを表す。
【０１１７】
[00139]  １５０２において、ｅＮＢは、少なくとも１つのＵＥに仮のグラントＵＬ割り当てを送信する。かくして、ｅＮＢは、複数のＵＥのセットに仮のグラントＵＬ割り当てを送信し得る。仮のグラントＵＬ割り当ては、コンテンション・ベースのキャリアのためのものであり得る。
【０１１８】
[00140]  １５０４において、ｅＮＢは、仮のグラントＵＬ割り当て送信に応答してＵＥからＳＲ送信を検出する。ＳＲは、ＳＣＣにおいて受信され得、ＳＣＣは、コンテンション・ベースのキャリアである。ＵＥからＳＲを受信することは、ＵＥがＣＣＡ／ｅＣＣＡチェックをパスしたことを示し得る。
【０１１９】
[00141]  同じターゲット・リソースのために複数のＵＥに仮のグラントを送信し得る場合、各ＳＲは、仮のものが送信されたＵＥの中から１つを独自に特定し得る。例えば、異なるユーザに関わるＳＲは、異なるシグネチャ・シーケンスを使用し得、各ＵＥは、単に、メッセージ中に識別子（例えばＣ−ＲＮＴＩ）を備えたショート・メッセージを送り得る。仮のグラントは、どの（１つまたは複数の）ＵＥがＰＵＳＣＨ送信のために競合することができるか、および、それらが競合に勝利する場合にどのＭＣＳを使用するか、を特定し得る。
【０１２０】
[00142]  １５０６において、ｅＮＢは、検出されたＳＲに応答してＵＥにＳＣＣにおいてグラント承認を送信する。かくして、ｅＮＢは、ＳＲを送信することによって媒体をつかむ（grab）ＵＥからのメッセージまたはシグネチ・シーケンスを検出すると、ｅＮＢは、そのＵＥに、ＰＵＳＣＨ上でデータを送信し始めることができることを承認するメッセージを送り得る。グラント承認は、ＵＥによるＵＬデータ送信のためのＵＬリソースのグラントを備え得る。
【０１２１】
[00143]  ｅＮＢは、複数のＵＥに仮のグラントＵＬ割り当てを送ることによってオーバー・スケジュールし得る。かくして、１５０２において、１つまたは複数の仮のグラントＵＬ割り当ての送信は、複数のＵＥに複数の仮のグラントＵＬ割り当てを送信することを含み得る。
【０１２２】
[00144]  １５０４において、１つまたは複数のＳＲ送信の検出は、送信された仮のグラントＵＬ割り当てに応答して複数のＳＲ送信を検出することを含み得、各ＳＲは、独自にＵＥのうちの１つを特定する。
【０１２３】
[00145]  １５０８において、ｅＮＢは、ＳＲが検出されるＵＥに送信するためのグラント承認を決定し得る。このことは、複数のＵＥのうちのいずれがそれにデータ送信のためのＵＬリソースを与えるグラント承認を受信するかを決定することを含み得る。複数のＳＲが受信されるとき、ｅＮＢは、衝突を防ぎながら、複数のＵＥにＵＬリソースを与えるグラント承認を決定し得る。ＳＲは、ＣＣＡ／ｅＣＣＡをパスしないＵＥにリソースを与えることによってそれらが不必要に浪費されないように、リソースをスケジュールする前にどのＵＥがＣＣＡ／ｅＣＣＡをパスしたかをｅＮＢが知ることを可能にする。例えば、ｅＮＢがＣＣＡ／ｅＣＣＡチェックをパスしたＵＥを決定すると、ｅＮＢは、ＳＲによって提供されるより正確な理解に基づいてリソースを与えることによって、衝突を防ぐようにＵＥに命令し得る。
【０１２４】
[00146]  ＳＲが複数のＵＥによって受信され得る場合、各ＳＲは、ｅＮＢに対するＵＥを特定し得る。同様に、グラント承認は、どのＵＥがリソースを与えられているかを指示し得る。例えば、各ＳＲは、ｅＮＢに対するＵＥを特定する固有のシグネチャ・シーケンスを備え得る。同様に、１つまたは複数のグラント承認の各々は、データを送信するために選択されたＵＥに対応するシグネチャ・シーケンスを備え得る。かくして、ＳＲおよび対応するグラント承認は、同じシグネチャ・シーケンスを備え得る。アクティブなＵＥのためのシグネチャ・シーケンスは、ｅＮＢによって管理され得る。例えば、初期のアクセスは、ＳＩＢにおいて通知されたシーケンスのランダムな選択に基づき得る。
【０１２５】
[00147]  グラント承認は、例えば、図１０に関連して説明されたように、ＳＲから離間され得る。
【０１２６】
[00148]  仮のグラントＵＬ割り当ておよびグラント承認の両方は、図１１に関連して説明されたように、コンテンション・ベースのキャリアであり得るＳＣＣにおいて送信され得る。
【０１２７】
[00149]  仮のグラントＵＬ割り当ては、図８および図１０に関連して説明されたように、非コンテンション・キャリアにおいて送信され得る。
【０１２８】
[00150]  図１６は、例としての装置１６０２における異なる手段／コンポーネント間でのデータ・フローを例示する概念的なデータ・フロー図１６００である。装置は、ｅＮＢであり得る。装置は、複数のＵＥ、例えばＵＥ１６５０からの送信１６０１を受信する受信コンポーネント１６０４と、複数のＵＥ、例えばＵＥ１６５０に送信１６０３を送る送信コンポーネント１６０６を含み得る。１６０５において仮のＵＬグラント・コンポーネント１６０８から送信コンポーネント１６０６に出力された命令を使用して、送信コンポーネント１６０６は、１つまたは複数のＵＥ、例えばＵＥ１６５０を含むＵＥのセットに、１つまたは複数の仮のグラントＵＬ割り当てを送信し得る。仮のグラントＵＬ割り当ては、非コンテンション・ベースのキャリア、例えばＰＣＣ、またはコンテンション・ベースのキャリア、例えばＳＣＣ、上で送信され得る。仮のグラントＵＬコンポーネントは、１６０７において受信コンポーネント１６０４から出力された情報を少なくとも部分的に使用して仮のグラントを決定し得る。
【０１２９】
[00151]  ＳＲ送信がＵＥから受信されるとき、受信コンポーネントは、１６０９において、受信されたＳＲからの情報をＳＲコンポーネント１６１０に出力し、それは、１つまたは複数の仮のグラントＵＬ割り当て送信に応答して、１つまたは複数のＳＲ送信を検出する。ＳＲは、ＳＣＣにおいて受信され得、ＳＣＣは、コンテンション・ベースのキャリアである。受信されたＳＲに関わる出力１６１１に基づいて、グラント承認コンポーネント１６１４は、１６１３において、ＵＥのセットのうちの（１つまたは複数の）ＵＥに１つまたは複数のグラント承認を、ＳＣＣにおいて、送信するために、送信コンポーネント１６０６に対して命令を出力する。グラント承認は、データ送信のためにＵＥにＵＬリソースを割り当て得る。かくして、グラント承認コンポーネントは、ＳＲが受信されたＵＥに与えるためのＵＬリソースを決定し得る。
【０１３０】
[00152]  時として、装置は、複数のＵＥに複数の仮のグラントＵＬ割り当てを送信し得る。かくして、複数のＳＲ送信が、送信された仮のグラントＵＬ割り当てに応答して装置によって検出され得、各ＳＲが、仮のグラントが送られた複数のＵＥのうちの１つを独自に特定する。例えば、各ＳＲは、固有のシグネチャ・シーケンスを備え得る。グラント承認コンポーネントは、データを送信するために選択されたＵＥに対応するシグネチャ・シーケンスを備えるように１つまたは複数のグラント承認の各々を構成し得る。
【０１３１】
[00153]  仮のグラントＵＬ割り当ておよびグラント承認は、コンテンション・ベースのキャリア上で送信され得る。仮のグラントＵＬ割り当ては、非コンテンション・キャリア上で送信され得る。
【０１３２】
[00154]  グラント承認に基づいて、ｅＮＢはその後、（１つまたは複数の）ＵＥからデータ送信を受信し得る。
【０１３３】
[00155]  装置は、図１５、図２１および図２２の上述のフロー・チャートにおけるアルゴリズムのブロックの各々を実施する追加のコンポーネントを含み得る。したがって、図、図２１および図２２の前述のフロー・チャートにおける各ブロックは、あるコンポーネントによって実施され得、装置は、これらのコンポーネントのうちの１つまたは複数を含み得る。コンポーネントは、記載されたプロセス／アルゴリズムを実行するように特に構成されているか、記載されたプロセス／アルゴリズムを実施するように構成されたプロセッサによってインプリメントされているか、プロセッサによるインプリメンテーションのためにコンピュータ可読媒体内に記憶されているか、またはそれらの何らかの組み合わせである、１つまたは複数のハードウェア・コンポーネントであり得る。
【０１３４】
[00156]  図１７は、処理システム１７１４を用いる装置１６０２’のためのハードウェア・インプリメンテーションの例を例示する図１７００である。処理システム１７１４は、概してバス１７２４によって表される、バス・アーキテクチャを用いてインプリメントされ得る。バス１７２４は、処理システム１７１４の特定のアプリケーションおよび全体的な設計制約に依存して、任意の数の相互接続バスおよびブリッジを含み得る。バス１７２４は、プロセッサ１７０４、コンポーネント１６０４、１６０６、１６０８、１６１０、１６１４、１６３０、およびコンピュータ可読媒体／メモリ１７０６によって表される、１つまたは複数のプロセッサおよび／またはハードウェア・コンポーネントを含むさまざまな回路をリンクする。バス１７２４はまた、タイミング・ソース、周辺機器、電圧レギュレータ、および電力管理回路のようなさまざまな他の回路をリンクし得、それらは、当該技術において良く知られており、したがって、これ以上は説明されない。
【０１３５】
[00157]  処理システム１７１４は、トランシーバ１７１０に結合され得る。トランシーバ１７１０は、１つまたは複数のアンテナ１７２０に結合される。トランシーバ１７１０は、送信媒体を通じてさまざまな他の装置と通信するための手段を提供する。トランシーバ１７１０は、１つまたは複数のアンテナ１７２０から信号を受信し、受信された信号から情報を抽出し、抽出された情報を処理システム１７１４、具体的には受信コンポーネント１６０４に提供する。さらに、トランシーバ１７１０は、処理システム１７１４、具体的には送信コンポーネント１６０６から情報を受信し、受信された情報に基づいて、１つまたは複数のアンテナ１７２０に適用される信号を生成する。処理システム１７１４は、コンピュータ可読媒体／メモリ１７０６に結合されたプロセッサ１７０４を含む。プロセッサ１７０４は、コンピュータ可読媒体／メモリ１７０６上に記憶されたソフトウェアの実行を含む一般の処理を担う。ソフトウェアは、プロセッサ１７０４によって実行されるとき、処理システム１７１４に、任意の特定の装置に関して上記に説明されたさまざまな機能を実施させる。コンピュータ可読媒体／メモリ１７０６はまた、ソフトウェアを実行するときにプロセッサ１７０４によって操作されるデータを記憶するために使用され得る。処理システムはさらに、コンポーネント１６０４、１６０６、１６０８、１６１０、および１６１４のうちの少なくとも１つを含む。コンポーネントは、プロセッサ１７０４中で実行中であり且つコンピュータ可読媒体／メモリ１７０６中に存在する／記憶されたソフトウェア・コンポーネント、プロセッサ１７０４に結合された１つまたは複数のハードウェア・コンポーネント、またはそれらの何らかの組み合わせであり得る。処理システム１７１４は、ｅＮＢ１０５、１０５−ａ、１０５−ｂ、１３５０、または１６０２のコンポーネントであり得、メモリ６４２および／またはＴＸプロセッサ６２０、ＲＸプロセッサ６３８、およびコントローラ／プロセッサ６４０のうちの少なくとも１つを含み得る。
【０１３６】
[00158]  １つの構成では、ワイヤレス通信のための装置１６０２／１６０２’は、ＵＥのセットに１つまたは複数の仮のグラントＵＬ割り当てを送信するための手段と、そのセットは、１つまたは複数のＵＥ、例えば、仮のＵＬグラント・コンポーネント１６０８および／または送信コンポーネント１６０６を含む、１つまたは複数の仮のグラント送信に応答してＳＣＣにおいて１つまたは複数のＳＲ送信を検出するための手段、例えば受信コンポーネント１６０４および／またはＳＲコンポーネント１６１０、と、ＳＣＣにおいて１つまたは複数のグラント承認割当てを送信するための手段、例えば、グラント承認コンポーネント１６１４および／または送信コンポーネント１６０６と、を含む。装置はさらに、ＵＥに送られたグラント承認に基づいてＵＥからのデータ送信を受信するための手段を含み得る。このような手段は、例えば受信コンポーネント１６０４を含み得る。前述された手段は、前述された手段によって記載される機能を実施するように構成されている装置１６０２’の処理システム１７１４および／または装置１６０２の前述されたコンポーネントのうちの１つまたは複数であり得る。上記に説明されたように、処理システム１７１４は、ＴＸプロセッサ６２０、ＲＸプロセッサ６３８、およびコントローラ／プロセッサ６４０を含み得る。したがって、一構成において、前述の手段は、前述の手段によって記載された機能を実施するように構成されたＴＸプロセッサ６２０、ＲＸプロセッサ６３８、およびコントローラ／プロセッサ６４０であり得る。
【０１３７】
[00159]  １つの例では、コンテンション・ベースのキャリアのフレームのためのフレーム・フォーマット・インジケータは、ＵＬ送信のためのサブフレームをＤＬ送信のサブフレームとともに指示する、例えばＤ：Ｕ分割インジケーションではなく、ダウンリンク・サブフレーム、例えば最小限のダウンリンク送信期間のみをＵＥに指示し得る。代わりに、ＵＥは、ＵＬグラントを別個に受信し得る。例えば、ＵＬグラントは、ＰｃｅｌｌにおいてＵＥに送信され得る。かくして、システムは、例えば図２に関連して説明されたように、補足的なダウンリンクに加えて補足的なアップリンク（ＳＵＬ）動作を使用して動作する。
【０１３８】
[00160]  図３において、ＬＢＴ無線フレーム３１５は、ＤＤＤＤＤＤＳＵＵＳ’ＴＤＤフレーム構造を有する。他の例では、ＬＢＴ無線フレームは、異なるＴＤＤフレーム構造を有し得る。例えば、ＬＢＴ無線フレームは、エンハンスド干渉軽減およびトラフィック適応（ｅＩＭＴＡ：enhanced interference mitigation and traffic adaptation）に使用されるＴＤＤフレーム構造のうちの１つを有し得る。他の例では、ＬＢＴ無線フレーム３１５は、より動的に決定されたＴＤＤフレーム構造を有し得、基地局によって送信される１つまたは複数の第１のインジケータまたは第２のインジケータであり得る（例としては、サブフレームの第１の数の第１のインジケータ、例えば、ダウンリンク送信期間、そのようなダウンリンク送信期間におけるダウンリンク・サブフレームの総数、ダウンリンク送信期間と次の（すなわち後続の）アップリンク送信期間との組み合わせにおけるサブフレームの総数のインジケータ、および／またはアップリンク送信期間に関連付けされたアップリンク・サブフレームの数の第２のインジケータ）。
【０１３９】
[00161]  図１８Ａは、例としてのコンテンション・ベースのキャリアを示す。図１８Ａにおけるフレーム・フォーマット・インジケータ１８０２は、Ｄ：Ｕ＝６：３を指示する。かくして、６個のＤＬサブフレームおよび３個のＵＬサブフレームが存在することになる。図１８Ｂおよび１８Ｃにおいて、本書で説明される場合、フレーム・フォーマット・インジケータ１８０４は、コンテンション・ベースのキャリアにおけるＤＬ送信のためにスケジュールされたサブフレームのみを指示する。
【０１４０】
[00162]  図１８Ｂにおいて、ＵＥは、サブフレーム（Ｘ）とラベル付けされる「Ｘ」個のサブフレームをＵＬサブフレームであると想定することはできない、ただしＵＥがそれらのサブフレームにおけるＵＬ送信のためにスケジュールされている場合を除く。さらに、ＵＥは、サブフレームが、「Ｘ」個のサブフレームの前に新しいＰＦＦＩＣＨを受信しない場合、それがＵＥのためのＵＬサブフレームであることを想定し得、それは、サブフレームがＤＬ送信のためにリザーブされることを指示する。「Ｘ」個のサブフレームに対応するＵＬグラントは、異なるキャリア上で送られ得る。ＵＬグラントは、コンテンション・ベースのキャリアまたは非コンテンション・キャリア、例えばＰｃｅｌｌにおいて送信され得る。
【０１４１】
[00163]  図１８Ｂにおいて示されるように、ＵＥは、例えばＵＥがＤＬ部分の終了の前にＵＬグラントを受信しない場合、フレームのＤＬ部分の後に、例えば１８０６において、ＤＬ ＣＵＢＳをモニタし得る。
【０１４２】
[00164]  図１８Ｃは、例えばＰｃｅｌｌにおいて、ＵＥが１つまたは複数のＵＬグラント１８０８を受信する例を示す。図１８Ｃにおいて、ＵＥは、（１つまたは複数の）ＵＬグラントにしたがってスケジュールされたＵＬサブフレームの間にデータを送信することができる。ＵＬサブフレームの後に、ＵＥは、ＤＬ ＣＵＢＳを、１８１０において再度モニタする。１つの例では、ＤＬ制御チャネルは、ＤＬ Ｔｘ時間の指示にしたがってスケジュールされていないアクセス（例えばＰＲＡＣＨ）のための機会を指示し得る。この例では、スケジュールされていないアクセスの機会が終わるとき、ＵＥはＤ−ＣＵＢＳを再度モニタし得る。
【０１４３】
[00165]  （１つまたは複数の）ＵＬグラントは、同じリソースにおいて複数のＵＥをスケジュールし得る。そしてＵＥは、スケジュールされたリソースにおいて送信するためにコンテンション・ベースのアクセスを使用し得る。これは、例えば、ＵＬトラフィックを有する多数のＷｉＦｉ局が存在する場合に、媒体アクセスの公平さを改善し得る。指示はまた、コンテンション・ベースのキャリアに対してスケジュールされていないＵＬアクセスのために提供され得る。
【０１４４】
[00166]  図１９は、本開示のさまざまな態様にしたがって、共有無線周波数スペクトル上でのワイヤレス通信１９１０の例１９００を示す。いくつかの例では、ワイヤレス通信１９１０は、１つまたは複数のコンポーネント・キャリアを含み得、その（１つまたは複数の）コンポーネント・キャリアは、例えば、図２を参照して説明されたスタンドアロン・モード、キャリア・アグリゲーション・モード、または補足的なダウンリンク・モード（例えば、ライセンス・アシスト・アクセス・モード）にしたがって為される送信モードの一部として、送信され得る。
【０１４５】
[00167]  例として、ワイヤレス通信１９１０は、第１のダウンリンク送信期間１９０５を含み、その後にビジーの期間１９１５（例えば、基地局が共有無線周波数スペクトルへのアクセスのための競合に勝利することができない期間）が続き、その後に第２のダウンリンク送信期間１９０５−ａが続き、その後にアップリンク送信期間１９２０が続く。また、例として、第１のダウンリンク送信期間１９０５は、第１の複数のＤサブフレームを含み、その前には第１のＳ’サブフレーム１９２５が先行し、第２のダウンリンク送信期間１９０５−ａは、第２の複数のＤサブフレームを含み、その前には第２のＳ’サブフレーム１９２５−ａが先行し、アップリンク送信期間１９２０は、６個のＵサブフレームを含む。
【０１４６】
[00168]  第１のＳ’サブフレーム１９２５および第２のＳ’サブフレーム１９２５−ａの各々の間に、基地局は、共有無線周波数スペクトルへのアクセスのために競合するために、ＣＣＡプロシージャ、例えば、ＥＣＣＡプロシージャ１９３０または単一のＣＣＡプロシージャを実施し得る。共有無線周波数スペクトルへのアクセスのための競合に勝利すると、基地局は、ＷｉＦｉノードに共有無線周波数スペクトルの基地局によるリザーベーションを指示するために、１つまたは複数の信号（例えば、Ｗｉ−Ｆｉ信号１９３５）をブロードキャストし得る。基地局はまた、基地局への共有無線周波数スペクトルの基地局によるリザーベーション、および他のオペレータ展開の他のノードを指示するために、１つまたは複数の信号（例えばＣＵＢＳ１９４０）をブロードキャストし得る。さらに、基地局は、サブフレームの第１の数の第１のインジケータ（例えば、第１のインジケータ（ＤＬＩ）１９４５または１９４５−ａ）をブロードキャストし得る。第１のインジケータは、それぞれのダウンリンク送信期間（例えば、ダウンリンク送信期間１９０５または１９０５−ａ）の前にブロードキャストされ得、ダウンリンク送信期間の開始をシグナリングし得る。いくつかの例では、第１のインジケータによって指示されるサブフレームの第１の数は、ダウンリンク送信期間におけるダウンリンク・サブフレームの総数であり得る（例えば、第１のインジケータ１９４５または１９４５−ａは、第１のダウンリンク送信期間１９０５および第２のダウンリンク送信期間１９０５−ａの各々に関わる６個のサブフレームを指示し得る）。他の例では、第１のインジケータによって指示されるサブフレームの第１の数は、次のダウンリンク送信期間と次回の（すなわち後続する）アップリンク送信期間との組み合わせにおけるサブフレームの総数であり得る（例えば、第１のインジケータ１９４５−ａは、第２のダウンリンク送信期間１９０５−ａとアップリンク送信期間１９２０との組み合わせで１２個のサブフレームを指示し得る）。いくつかの例では、第１のインジケータは、共有無線周波数スペクトル上で、またはＰＦＦＩＣＨ上で、または両方上で、ブロードキャストされ得る。
【０１４７】
[00169]  第１のダウンリンク送信期間１９０５の間に、基地局は、ヘビーなダウンリンク・トラフィックが存在することを決定するかライトなアップリンク・トラフィックが存在するまたはアップリンク・トラフィックが皆無であることを決定し、第２のダウンリンク送信期間１９０５−ａをスケジュールすることを決定し得る。第２のダウンリンク送信期間１９０５−ａの間に、基地局は、アップリンク送信期間１９２０をスケジュールすることを決定し得、ＵＥに（または複数のＵＥに）、次のアップリンク送信期間に関わるアップリンク・グラント（例えば、アップリンク・グラント（ＵＬＧ）１９５０、１９５０−ａ、１９５０−ｂ、１９５０−ｃ、１９５０−ｄ、および１９５０−ｅ）の数を送信し得る。いくつかの例では、アップリンク・グラントの数は、専用の無線周波数スペクトル上で、ＵＥのプライマリ・セル（ＰＣｅｌｌ）において（例えば、ユニキャストまたはマルチキャストで）送信され得る。専用の無線周波数スペクトルにわたるＰＣｅｌｌにおけるアップリンク・グラントの送信は、アップリンク送信期間をスケジュールするために基地局において共有無線周波数スペクトルをリザーブする必要性を解消し得る。他の例では、アップリンク・グラントの数は、共有無線周波数スペクトル上で、ＵＥのＳＣｅｌｌにおいて送信され得る。
【０１４８】
[00170]  １つの例では、アップリンク・グラント１９５０、１９５０−ａ、１９５０−ｂ、１９５０−ｃ、１９５０−ｄ、および１９５０−ｅを送信するとともに、基地局は、第２のインジケータ（例えば、ＵＬＬ１９５５）を非同期的にブロードキャストし得る。第２のインジケータは、第２のダウンリンク送信期間１９０５−ａの間にブロードキャストされ得、アップリンク送信期間１９２０に関連付けされたアップリンク・サブフレーム（例えば６個のアップリンク・サブフレーム）の数を指示し得る。いくつかの例では、第２のインジケータは、アップリンク・グラント１９５０、１９５０−ａ、１９５０−ｂ、１９５０−ｃ、１９５０−ｄ、および１９５０−ｅの数に少なくとも部分的に基づき得る（例えば、第２のインジケータは、アップリンク・グラントの数が送信されることにより送信され得、または第２のインジケータによって指示されるアップリンク・サブフレームの数は、アップリンク・グラントの数に対応するアップリンク・サブフレームの数に少なくとも部分的に基づき得る）。
【０１４９】
[00171]  いくつかの例では、インジケータおよび／または第２のインジケータは、ＤＣＩにおいて、または専用物理チャネルまたは共有物理チャネル上で、および専用無線周波数スペクトル上でブロードキャストされ得る。他の例では、第２のインジケータは、ＤＣＩにおいて、または専用物理チャネルまたは共有物理チャネル上で、および共有無線周波数スペクトル上でブロードキャストされ得る。
【０１５０】
[00172]  基地局が第１のインジケータ１９４５−ａ、第２のインジケータ１９５５およびアップリンク・グラント１９５０、９５０−ａ、１９５０−ｂ、１９５０−ｃ、１９５０−ｄおよび１９５０−ｅの数を受信するのと同じオペレータ展開でＵＥが動作する場合、ＵＥは、アップリンク送信期間１９２０の間にアクティブ状態のままであり得る（または少なくともアップリンク・グラント１９５０、１９５０−ａ、１９５０−ｂ、１９５０−ｃ、１９５０−ｄおよび１９５０−ｅの数に対応するアップリンク・サブフレームの数に対して、アクティブのままであり得る）。基地局が第１のインジケータ４４５−ａおよび第２のインジケータ４５５を受信し、しかしアップリンク・グラント４５０、４５０−ａ、４５０−ｂ、４５０−ｃ、４５０−ｄおよび４５０−ｅの数を受信しないのと同じオペレータ展開でＵＥが動作する場合、ＵＥは、アップリンク送信期間４２０の間にスリープ状態にエントリし得る。基地局が、第１のインジケータ４４５−ａまたは第２のインジケータ４５５を受信するのとは異なるオペレータ展開でワイヤレス・デバイス（例えば、基地局またはＵＥ）が動作する場合、ワイヤレス・デバイスは、ダウンリンク送信期間４０５−ａまたはアップリンク送信期間４２０の間に共有無線周波数スペクトルへのアクセスのための競合を控え得る。図２０は、ワイヤレス通信の方法のフロー・チャート２０００である。方法は、ＵＥ（例えば、ＵＥ１１５、ＵＥ１１５−ａ、１１５−ｂまたは装置１３０２、１３０２’）によって実施され得る。２００２において、ＵＥは、最小限のＤＬ送信期間のインジケータを受信する。インジケータは、ＤＬサブフレームの最小限の数を表すＤＬサブフレームの数を指示し得る。ＵＥは、ＵＬサブフレームが指示されたＤＬサブフレームに後続することを、必ずしも推測することはできない。代わって、指示されたものは、より多くのＤＬサブフレームが後続し得ることを暗示し得るが、少なくとも指示された数のサブフレームがＵＬサブフレームの開始前のＤＬサブフレームとなる。インジケータは、フレームのためのフレーム・フォーマット・インジケータを備え得、ここにおいてフレーム・フォーマット・インジケータは、コンテンション・ベースのキャリアのためにスケジュールされた複数のＤＬサブフレームのみを特定する。かくして、図１８Ｂ、１８Ｃ、および１９に示されているように、１つの例では、フレーム・フォーマット・インジケータは、ＵＬ送信のためのサブフレームを指示しない。インジケータは、ＤＬ送信期間の前に受信され得、ＤＬ送信期間の開始をシグナリングし得る。いくつかの例では、サブフレームの第１の数は、第１のインジケータによって指示され得、サブフレームの数は、ダウンリンク送信期間におけるダウンリンク・サブフレームの総数、または、ダウンリンク送信期間と次の（すなわち後続する）アップリンク送信期間との組み合わせのサブフレームの総数である。
【０１５１】
[00173]  いくつかの例では、インジケータは、共有無線周波数スペクトル上で、またはＰＦＦＩＣＨ上で、または両方上で、受信され得る。共有無線周波数スペクトルは、送信装置がアクセスのために競合する必要があり得る無線周波数スペクトル（例えば、ＷｉＦｉの使用のようなアンライセンスの使用のために利用可能である無線周波数スペクトル、または、平等に共有されたまたは優先的な方法で複数のオペレータによる使用のために利用可能である無線周波数スペクトル）を含み得る。
【０１５２】
[00174]  ２００４において、ＵＥは、フレームのＤＬ部分を受信する。
【０１５３】
[00175]  ２００６において、ＵＥは、次のＵＬ送信期間の第２のインジケータを受信し得る。このインジケータは、第１のインジケータによって指示されるＤＬ送信期間の間に受信され得る。第２のインジケータは、非同期的に受信され得る。２００８において、ＵＥは、コンテンション・ベースのキャリアに関わるＵＬグラントを受信し得る。このＵＬグラントは、ダウンリンク・サブフレームの終了の前に受信され得る。ＵＬグラントは、例えばＵＬサブフレームにおける、少なくとも１つのＵＬリソースを特定し、それは、ＵＥに割り当てられる。ＵＬグラントは、コンテンション・ベースのキャリアとは異なるキャリア上で受信され得る。ＵＬグラントは、コンテンション・ベースのキャリアまたは非コンテンション・キャリア上で受信され得る。１つの例では、ＵＬグラントは、非コンテンション・キャリアを備えるＰｃｅｌｌにおいて受信され得る。
【０１５４】
[00176]  第２のインジケータは、ダウンリンク送信期間の間に受信され得、次のアップリンク送信期間に関連付けされたアップリンク・サブフレームの数を指示し得る。いくつかの例では、インジケータおよび／または第２のインジケータは、ＤＣＩにおいて、または専用物理チャネル上または共有物理チャネル上で、および専用無線周波数スペクトル上で受信され得る。専用無線周波数スペクトルは、無線周波数スペクトルが特定のユーザに対して認可されるので、送信装置がアクセスのために競合しない無線周波数スペクトル、例えば、ＬＴＥ／ＬＴＥ−Ａ通信のために利用可能なライセンス無線周波数スペクトル、を含み得る。他の例では、第２のインジケータは、ＤＣＩにおいて、または専用物理チャネル上または共有物理チャネル上で、および共有無線周波数スペクトル上でブロードキャストされ得る。いくつかの例では、ダウンリンク・サブフレームが連続的であり得、アップリンク・サブフレームが連続的であり得、および／またはアップリンク送信期間は、ダウンリンク送信期間に直接後続し得る。
【０１５５】
[00177]  ２０１０において、ＵＬグラントを受信した後に、ＵＥは、受信されたアップリンク・グラントにしたがってアップリンク・リソースにおいてデータを送信する。
【０１５６】
[00178]  フレーム・フォーマット・インジケータがＵＬ送信のためにリザーブされたサブフレームを指示しない場合、ＵＥは、ＵＬリソースのグラントに依存し得る。リソースのグラントに加えて、ＵＥはまた、ＵＬグラントにおけるサブフレームの間に受信されたＤＬ送信の指示がないことを決定するために、Ｄ−ＣＵＢＳをモニタし得る。かくして、２０１２において、ＵＥは、Ｄ−ＣＵＢＳをモニタする。ＵＥは、ＵＬグラントにおける少なくとも１つのＵＬサブフレームの後にＤ−ＣＵＢＳをモニタし得る。例えば、ＵＥは、それのＵＬ割り当てが終わると、Ｄ−ＣＵＢＳをモニタし得る。
【０１５７】
[00179]  ＵＥは、フレームの指示されたダウンリンク部分の後にＤ−ＣＵＢＳをモニタし得る。
【０１５８】
[00180]  例えば、ＵＥがＤＬ部分の終了より前にＵＬグラントを受信しない場合、ＵＥは、ＤＬサブフレームの後にＤ−ＣＵＢＳをモニタし得る。ＵＥがＵＬグラントを受信する場合、ＵＥは、ダウンリンク・サブフレームの終了より前にアップリンク・グラントを受信する場合、フレームの少なくとも１つのアップリンク・サブフレームの後にＤ−ＣＵＢＳをモニタし得る。
【０１５９】
[00181]  ＵＥはさらに、データを送信する前にＵＬグラントに基づいてコンテンション・ベースのキャリアに関わるＣＣＡ／ｅＣＣＡ動作を実施し得る。そしてＵＥは、ＣＣＡ／ｅＣＣＡ動作が成功である場合にデータを送信し得る。例えば、コンテンション・ベースのアクセスは、ＷｉＦｉ局などの存在下で媒体アクセスの公平さを改善し得る。また、複数のＵＥは、ＵＬグラントを有する同じリソースのためにスケジュールされ得、リソースのために競合し得る。
【０１６０】
[00182]  １つの例では、方法はさらに、アップリンク・グラントの数がアップリンク送信期間に関してＵＥにおいて受信されるかどうかを決定することを含み得る。いくつかの例では、アップリンク・グラントの数は、専用無線周波数スペクトル上で、ＵＥのＰＣｅｌｌにおいて受信され得る。他の例では、アップリンク・グラントの数は、共有無線周波数スペクトル上で、ＵＥのＳＣｅｌｌにおいて受信され得る。アップリンク・グラントの数が受信されることが決定される場合、ＵＥは、ＵＬ送信期間に関わるＵＬグラントの数に関連付けされた複数のＵＬサブフレームに関してアクティブな状態のままであり得る。アップリンク・グラントの数が受信されないことが決定される場合、方法はさらに、ＵＬ送信期間の間、ワイヤレス・デバイスにおいてスリープ状態にエントリすることを含み得る。一構成では、図１３および１４に関連して説明されたワイヤレス通信のための装置１３０２／１３０２’は、ＵＥにおけるフレームのためのフレーム・フォーマット・インジケータを受信するための手段と、フレーム・フォーマット・インジケータは、コンテンション・ベースのキャリアに関わる最小限のダウンリンク送信期間を特定する、フレームのＤＬ部分を受信するための手段、例えば、受信コンポーネント１３１２、と、を含み得る。
【０１６１】
[00183]  装置は、ダウンリンク・サブフレームの終了の前にコンテンション・ベースのキャリアに関わるＵＬグラントを受信するための手段を含み得、ここにおいて、ＵＬグラントは、ＵＥに割り当てられた少なくとも１つのＵＬリソースを特定し、少なくとも１つのアップリンク・リソースは、少なくとも１つのアップリンク・サブフレームにある。このような手段は、グラント承認コンポーネント１３１０および／または受信コンポーネント１３１２を含み得る。
【０１６２】
[00184]  装置は、ＵＬグラントに基づいてＳＣＣにおいてクリア・チャネル・アセスメント（ＣＣＡ）動作を実施するための手段、例えば、ＣＣＡ／ｅＣＣＡコンポーネント１３０６を含み得る。
【０１６３】
[00185]  装置は、ＵＬグラントにしたがって、ＣＣＡ動作が成功する場合にコンテンション・ベースのキャリアにおいてデータを送信するための手段、例えば、送信コンポーネント１３１４を含み得る。
【０１６４】
[00186]  装置１３０２／１３０２’はさらに、Ｄ−ＣＵＢＳをモニタするための手段、例えば、Ｄ−ＣＵＢＳコンポーネント１３３０を含み得る。例えば、Ｄ−ＣＵＢＳコンポーネント１３３０は、ＵＥがダウンリンク部分の終了より前にアップリンク・グラントを受信しない場合に、ダウンリンク・サブフレームの後にＤ−ＣＵＢＳをモニタするように構成され得る。ＵＥがダウンリンク・サブフレームの終了より前にアップリンク・グラントを受信する場合、ここにおいて、アップリンク・グラントは、少なくとも１つのアップリンク・サブフレームを特定する、Ｄ−ＣＵＢＳコンポーネント１３３０は、フレームの少なくとも１つのアップリンク・サブフレームの後にＤ−ＣＵＢＳをモニタするように構成され得る。
【０１６５】
[00187]  前述された手段は、前述された手段によって記載された機能を実施するように構成された装置１３０２’の処理システム１４１４、および／または、装置１３０２の前述されたコンポーネントのうちの１つまたは複数であり得る。上記に説明されたように、処理システム１４１４は、ＴＸプロセッサ６６４、ＲＸプロセッサ６５８、およびコントローラ／プロセッサ６８０を含み得る。したがって、一構成において、前述の手段は、前述の手段によって記載された機能を実施するように構成されたＴＸプロセッサ６６４、ＲＸプロセッサ６５８、およびコントローラ／プロセッサ６８０であり得る。
【０１６６】
[00188]  図２１は、ワイヤレス通信の方法のフロー・チャート２１００である。方法は、ｅＮＢ（例えば、ｅＮＢ１０５、１０５−ａ、１０５−ｂまたは装置１６０２、１６０２’）によって実施され得る。２１０２において、ｅＮＢは、ＤＬ送信期間のインジケータを送信する。インジケータは、フレームのためのフレーム・フォーマット・インジケータを備え得、ここにおいてフレーム・インジケータは、コンテンション・ベースのキャリアに関わる最小限のダウンリンク送信期間を特定する。例えば、フレーム・フォーマット・インジケータは、コンテンション・ベースのキャリアのためにスケジュールされた複数のダウンリンク・サブフレームのみを特定し得る。フレーム・フォーマット・インジケータは、コンテンション・ベースのキャリアに関わるＤＬ制御チャネル、例えば、物理フレーム・フォーマット・インジケータ・チャネル（ＰＦＦＩＣＨ）において送信され得る。２１０４において、ｅＮＢは、示されているように、フレームのダウンリンク部分において送信する。
【０１６７】
[00189]  インジケータを送信することは、基地局からサブフレームの第１の数のインジケータをブロードキャストすることを備え得る。インジケータは、ダウンリンク送信期間の前にブロードキャストされ得、ダウンリンク送信期間の開始をシグナリングし得る。いくつかの例では、インジケータによって指示されるサブフレームの第１の数は、ダウンリンク送信期間におけるダウンリンク・サブフレームの総数であり得る。他の例では、インジケータによって指示されるサブフレームの第１の数は、ダウンリンク送信期間と次の（すなわち後続する）アップリンク送信期間との組み合わせにおけるサブフレームの総数であり得る。
【０１６８】
[00190]  いくつかの例では、インジケータは、共有無線周波数スペクトル上で、またはＰＦＦＩＣＨ上で、または両方上で、ブロードキャストされ得る。共有無線周波数スペクトルは、送信装置がアクセスのために競合する必要があり得る無線周波数スペクトル（例えば、ＷｉＦｉの使用のようなアンライセンスの使用のために利用可能である無線周波数スペクトル、または、平等に共有されたまたは優先的な方法で多数のオペレータによる使用のために利用可能である無線周波数スペクトル）を含み得る。
【０１６９】
[00191]  ２１０６において、ｅＮＢは、ＵＬ送信期間に関わる第２のインジケータを送信し得る。第２のインジケータは、基地局から非同期的にブロードキャストされ得る。第２のインジケータは、ダウンリンク送信期間の間にブロードキャストされ得、アップリンク送信期間に関連付けされたアップリンク・サブフレームの数を指示し得る。いくつかの例では、第２のインジケータは、ブロック２１０８において送信されるアップリンク・グラントの数に少なくとも部分的に基づき得る（例えば、第２のインジケータは、アップリンク・グラントの数が送信されることにより送信され得、または第２のインジケータによって指示されるアップリンク・サブフレームの数は、アップリンク・グラントの数に対応するアップリンク・サブフレームの数に少なくとも部分的に基づき得る）。
【０１７０】
[00192]  いくつかの例では、第２のインジケータは、ＤＣＩにおいて、または専用物理チャネル上または共有物理チャネル上で、および専用無線周波数スペクトル上でブロードキャストされ得る。他の例では、第２のインジケータは、ＤＣＩにおいて、または専用物理チャネル上または共有物理チャネル上で、および共有無線周波数スペクトル上でブロードキャストされ得る。いくつかの例では、ダウンリンク・サブフレームが連続的であり得、アップリンク・サブフレームが連続的であり得、および／またはアップリンク送信期間は、ダウンリンク送信期間に直接後続し得る。
【０１７１】
[00193]  ２１０８において、ｅＮＢは、コンテンション・ベースのキャリアに関わるＵＬグラントをＵＥに送信し得る。ＵＬグラントは、ダウンリンク・サブフレームの終了の前に送信され得る。ＵＬグラントは、ＵＥに割り当てられた少なくとも１つのアップリンク・リソースを特定し得、少なくとも１つのアップリンク・リソースは、少なくとも１つのアップリンク・サブフレームにある。アップリンク・グラントは、コンテンション・ベースのキャリアまたは非コンテンション・キャリアのうちの１つにおいて送信され得る。例えば、ＵＬグラントは、Ｐｃｅｌｌにおいて送信され得る。ＵＬグラントを送信した後に、ｅＮＢは、２１１０において、アップリンク・グラントにしたがってアップリンク・リソースにおいてＵＥからデータ送信を受信し得る。
【０１７２】
[00194]  いくつかの例では、アップリンク・グラントの数は、専用無線周波数スペクトル上で、ＵＥのＰＣｅｌｌにおいて送信され得る。専用無線周波数スペクトルは、無線周波数スペクトルが特定のユーザに対して認可されるので、送信装置がアクセスのために競合しない無線周波数スペクトル、例えば、ＬＴＥ／ＬＴＥ−Ａ通信のために利用可能なライセンス無線周波数スペクトル、を含み得る。専用の無線周波数スペクトルにわたるＰＣｅｌｌにおけるアップリンク・グラントの送信は、アップリンク送信期間をスケジュールするために基地局において共有無線周波数スペクトルをリザーブする必要性を解消し得る。他の例では、アップリンク・グラントの数は、共有無線周波数スペクトル上で、ＵＥのＳＣｅｌｌにおいて送信され得る。
【０１７３】
[00195]  ｅＮＢは、多数のＵＥのセットにＵＬグラントを送信し得る。仮のグラントＵＬ割り当ては、コンテンション・ベースのキャリアのためのものであり得る。かくして、ＵＥは、ＵＬグラントを受信した後に同じリソースのために競合し得る。ｅＮＢは、ＵＥに関わる変調基準信号（ＤＭ ＲＳ）を検出することによって複数のＵＥのうちのいずれが媒体にアクセスするかを検出し得る。
【０１７４】
[00196]  一構成では、ワイヤレス通信のための装置１６０２／１６０２’は、図１６および１７に関連して説明されたように、フレームのためのフレーム・フォーマット・インジケータを送信するための手段と、ここにおいてフレーム・フォーマット・インジケータは、コンテンション・ベースのキャリアに関わるコンテンション・ベースのキャリアに関わる最小限のダウンリンク送信期間を特定する、フレームのＤＬ部分を送信するための手段、例えば、フレーム・フォーマット・インジケータ・コンポーネント１６３０、および／または送信コンポーネント１６０６、と、を含み得る。装置１６０２／１６０２’はさらに、ダウンリンク・サブフレームの終了の前にコンテンション・ベースのキャリアに関わるＵＬグラントをＵＥに送信するための手段、例えば、グラント承認コンポーネント１６１４および／または送信コンポーネント１６０６、を含み得、ここにおいて、アップリンク・グラントは、ＵＥに割り当てられた少なくとも１つのアップリンク・リソースを特定し、少なくとも１つのアップリンク・リソースは、少なくとも１つのアップリンク・サブフレームにある。装置はさらに、ＵＥに送られたＵＬグラントにおけるリソースに基づいてＵＥからのデータ送信を受信するための手段を含み得る。このような手段は、例えば受信コンポーネント１６０４を含み得る。
【０１７５】
[00197]  前述された手段は、前述された手段によって記載された機能を実施するように構成された装置１６０２’の処理システム１７１４、および／または、装置１６０２の前述されたコンポーネントのうちの１つまたは複数であり得る。上記に説明されたように、処理システム１７１４は、ＴＸプロセッサ６２０、ＲＸプロセッサ６３８、およびコントローラ／プロセッサ６４０を含み得る。したがって、一構成において、前述の手段は、前述の手段によって記載された機能を実施するように構成されたＴＸプロセッサ６２０、ＲＸプロセッサ６３８、およびコントローラ／プロセッサ６４０であり得る。
【０１７６】
[00198]  図２２は、本開示のさまざまな態様にしたがって、ワイヤレス通信のための例としての方法２２００を例示するフロー・チャートである。明確さのために、方法２２００は、ワイヤレス・デバイス、例えば、図１、１６、および１７に関連して説明された基地局１０５、１６０２、１６０２’のうちの１つまたは複数の態様、図１、１３および／または１４を参照して説明されたＵＥ１１５、１３０２、１３０２’のうちの１つまたは複数の態様を含むワイヤレス・デバイスに関連して以下に説明される。いくつかの例において、ワイヤレス・デバイスは、以下に説明される機能を実施するためにワイヤレス・デバイスの機能的な要素を制御するためのコードの１つまたは複数のセットを実行し得る。さらに、または代わって、ワイヤレス・デバイスは、専用ハードウェアを使用して以下に説明される機能の１つまたは複数を実施し得る。
【０１７７】
[00199]  ブロック２２０５において、方法２２００は、ワイヤレス・デバイスにおいてサブフレームの第１の数の第１のインジケータを受信することを含み得る。第１のインジケータは、ワイヤレス・デバイスに関連付けされたワイヤレス・オペレータとは異なるオペレータの基地局から受信され得る。第１のインジケータはまた、ダウンリンク送信期間の前に受信され得、ダウンリンク送信期間の開始をシグナリングし得る。いくつかの例では、第１のインジケータによって指示されるサブフレームの第１の数は、ダウンリンク送信期間におけるダウンリンク・サブフレームの総数であり得る。他の例では、第１のインジケータによって指示されるサブフレームの第１の数は、ダウンリンク送信期間と次の（すなわち後続する）アップリンク送信期間との組み合わせにおけるサブフレームの総数であり得る。
【０１７８】
[00200]  いくつかの例では、第１のインジケータは、共有無線周波数スペクトル上で、またはＰＦＦＩＣＨ上で、または両方上で、受信され得る。共有無線周波数スペクトルは、送信装置がアクセスのために競合する必要があり得る無線周波数スペクトル（例えば、ＷｉＦｉの使用のようなアンライセンスの使用のために利用可能である無線周波数スペクトル、または、平等に共有されたまたは優先的な方法で多数のオペレータによる使用のために利用可能である無線周波数スペクトル）を含み得る。
【０１７９】
[00201]  ブロック２２１０において、方法２２００は、ダウンリンク送信期間の間に共有無線周波数スペクトルへのアクセスのための競合を控えることを含み得る。
【０１８０】
[00202]  ブロック２２１５において、方法２２００は、ワイヤレス・デバイスにおいて第２のインジケータを、異なるオペレータの基地局から、非同期的に受信することを含み得る。第２のインジケータは、ダウンリンク送信期間の間に受信され得、次のアップリンク送信期間に関連付けされたアップリンク・サブフレームの数を指示し得る。いくつかの例では、第２のインジケータは、ＤＣＩにおいて、または専用物理チャネルまたは共有物理チャネル上で、および専用無線周波数スペクトル上で受信され得る。専用無線周波数スペクトルは、無線周波数スペクトルが特定のユーザに対して認可されるので送信装置がアクセスのために競合しない無線周波数スペクトル、例えば、ＬＴＥ／ＬＴＥ−Ａ通信のために利用可能なライセンス無線周波数スペクトル、を含み得る。他の例では、第２のインジケータは、ＤＣＩにおいて、または専用物理チャネルまたは共有物理チャネル上で、および共有無線周波数スペクトル上でブロードキャストされ得る。いくつかの例では、ダウンリンク・サブフレームが連続的であり得、アップリンク・サブフレームが連続的であり得、および／またはアップリンク送信期間は、ダウンリンク送信期間に直接後続し得る。
【０１８１】
[00203]  ブロック２２２０において、方法２２００は、第１のインジケータまたは第２のインジケータのうちの少なくとも１つに基づいてアップリンク送信期間の開始を決定することを選択的に含み得る。
【０１８２】
[00204]  ブロック２２２５において、方法２２００は、アップリンク送信期間の間に共有無線周波数スペクトルへのアクセスのための競合を控えることを含み得る。
【０１８３】
[00205]  当業者は、情報および信号が多様な異なる技術ならびに技法のいずれかを使用して表され得ることを理解するであろう。例えば、上記の説明全体にわたって参照され得るデータ、命令、コマンド、情報、信号、ビット、シンボル、およびチップは、電圧、電流、電磁波、磁場または磁性粒子、光場または光粒子、あるいはそれらの任意の組み合わせによって表され得る。
【０１８４】
[00206]  図１３、１４、１６、および１７における機能的なブロックおよびコンポーネントは、プロセッサ、電子デバイス、ハードウェア・デバイス、電子コンポーネント、論理回路、メモリ、ソフトウェア・コード、ファームウェア・コードなど、またはそれらの任意の組み合わせを備え得る。
【０１８５】
[00207] 当業者はさらに、本書における開示に関連して説明されたさまざまな例示的な論理ブロック、コンポーネント、回路、およびアルゴリズムのステップが、電子ハードウェア、コンピュータ・ソフトウェア、またはそれら両方の組み合わせとしてインプリメントされ得ることを理解するだろう。ハードウェアおよびソフトウェアのこの互換性を明確に例示するために、さまざまな例示的なコンポーネント、ブロック、コンポーネント、回路、およびステップが、一般にそれらの機能性の観点から上述されてきた。そのような機能がハードウェアとしてインプリメントされるかソフトウェアとしてインプリメントされるかは、特定のアプリケーションおよびシステム全体に課せられた設計制約に依存する。当業者は、説明された機能を特定のアプリケーションごとにさまざまな方法でインプリメントし得るが、そのようなインプリメンテーションの決定は、本開示の範囲からの逸脱を引き起こすものとして解釈されるべきではない。当業者はまた、本明細書において説明されたコンポーネント、方法、または相互作用の順序あるいは組み合わせが例に過ぎず、本開示のさまざまな態様のコンポーネント、方法、または相互作用が本明細書において例示および説明されたもの以外の方法で実施され、あるいは組み合わされ得ることを容易に認識するであろう。
【０１８６】
[00208]  本書における開示に関連して説明されたさまざまな例示的な論理ブロック、コンポーネント、および回路は、本書において説明された機能を実施するように設計された、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）または他のプログラマブル論理デバイス、離散ゲートまたはトランジスタ論理、離散ハードウェア・コンポーネント、またはそれらの任意の組み合わせを用いてインプリメントまたは実施され得る。汎用プロセッサはマイクロプロセッサであり得るが、代替として、プロセッサは任意の従来のプロセッサ、コントローラ、マイクロコントローラ、またはステート・マシンであり得る。プロセッサはまた、例えば、ＤＳＰとマイクロプロセッサ、複数のマイクロプロセッサ、ＤＳＰコアと連結した１つまたは複数のマイクロプロセッサ、または任意の他のそのような構成の組み合わせのような、コンピューティング・デバイスの組み合わせとしてインプリメントされ得る。
【０１８７】
[00209]  本書における開示に関連して説明された方法またはアルゴリズムのステップは、ハードウェアで直接に、プロセッサによって実行されたソフトウェア・コンポーネントで、または２つの組み合わせで具現化され得る。ソフトウェア・コンポーネントは、ＲＡＭメモリ、フラッシュ・メモリ、ＲＯＭメモリ、ＥＰＲＯＭメモリ、ＥＥＰＲＯＭ（登録商標）メモリ、レジスタ、ハード・ディスク、リムーバブル・ディスク、ＣＤ−ＲＯＭ、または当該技術において知られる任意の他の形態の記憶媒体中に存在し得る。例示的な記憶媒体は、プロセッサが、記憶媒体から情報を読み取り、および記憶媒体に情報を書き込むことができるようにプロセッサに結合される。代替において、記憶媒体は、プロセッサと一体化され得る。プロセッサおよび記憶媒体は、ＡＳＩＣに存在し得る。ＡＳＩＣは、ユーザ端末に存在し得る。代替において、プロセッサおよび記憶媒体は、ユーザ端末中に離散コンポーネントとして存在し得る。
【０１８８】
[00210]  １つまたは複数の例証的な設計において、説明された機能は、ハードウェア、ソフトウェア、ファームウェア、またはそれらの任意の組み合わせでインプリメントされ得る。ソフトウェア中でインプリメントされる場合、機能は、コンピュータ可読媒体上で１つまたは複数の命令またはコードとして記憶または送信され得る。コンピュータ可読媒体は、ある場所から別の場所へのコンピュータ・プログラムの転送を容易にする任意の媒体を含む通信媒体とコンピュータ記憶媒体との両方を含む。コンピュータ可読記憶媒体は、汎用または特殊用途コンピュータによってアクセスされることができる任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは命令またはデータ構造の形態で所望のプログラム・コード手段を搬送または記憶するために使用されることができ、汎用または特殊用途コンピュータ、もしくは汎用または特殊用途プロセッサによってアクセスされることができる任意の他の媒体を備えることができる。また、接続は、厳密にはコンピュータ可読媒体と呼ばれ得る。例えば、ソフトウェアが、同軸ケーブル、光ファイバ・ケーブル、ツイスト・ペア、またはデジタル加入者回線（ＤＳＬ）を使用してウェブサイト、サーバ、または他の遠隔ソースから送信される場合、同軸ケーブル、光ファイバ・ケーブル、ツイスト・ペア、またはＤＳＬは、媒体の定義に含まれる。ディスク（disk）およびディスク（disc）は、本書で使用される場合、コンパクト・ディスク（ＣＤ）（disc）、レーザー・ディスク（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここでは、ディスク（disk）は通常、磁気的にデータを再生し、その一方でディスク（disc）は、レーザーを用いて光学的にデータを再生する。上記の組合せもまた、コンピュータ可読媒体の範囲内に含まれるべきである。
【０１８９】
[00211]  特許請求の範囲を含む本書で使用される場合、「および／または」という用語は、２つ以上の項目からなるリストで使用されるとき、リストされた項目のうちのいずれか１つがそれ自体によって用いられることができること、あるいはリストされた項目のうちの２つ以上からなる任意の組み合わせが用いられることができることを意味する。例えば、ある組成が、コンポーネントＡ、Ｂ、および／またはＣを包含するものとして説明されている場合、この組成は、Ａだけ、Ｂだけ、Ｃだけ、ＡとＢの組み合わせ、ＡとＣの組み合わせ、ＢとＣの組み合わせ、またはＡとＢとＣの組み合わせを包含することができる。また、特許請求の範囲を含む本書で使用される場合、「〜のうちの少なくとも１つ（at least one of）」で始まる項目のリスト中で使用される「または／あるいは／もしくは（or）」は、例えば、「Ａ、Ｂ、またはＣのうちの少なくとも１つ」のリストが、Ａ、またはＢ、またはＣ、またはＡとＢ、またはＡとＣ、またはＢとＣ、またはＡとＢとＣ（すなわち、Ａ、Ｂ、およびＣ）またはこれらの任意の組み合わせでこれらのうちのいずれかを意味するような、選言的な（disjunctive）リストを示す。
【０１９０】
[00212]  本開示の先の説明は、当業者が本開示を製造または使用することを可能にするために提供される。本開示に対するさまざまな修正は、当業者に容易に明らかであり、本書に定義されている包括的な原理は、本開示の精神または範囲から逸脱せずに、他のバリエーションに適用され得る。かくして、本開示は、本書において説明された例および設計に限定されるよう意図されず、本書で開示された原理および新規の特徴と一致する最も幅広い範囲が付与されるべきである。
以下に本願の出願当初の特許請求の範囲に記載された発明を付記する。
［Ｃ１］
ワイヤレス通信の方法であって、
ユーザ機器（ＵＥ）におけるフレームのためのフレーム・フォーマット・インジケータを受信することと、ここにおいて、前記インジケータは、コンテンション・ベースのキャリアに関わる最小限のダウンリンク送信期間を特定する、
前記フレームのダウンリンク部分を受信することと、を備える、方法。
［Ｃ２］
前記インジケータは、前記最小限のダウンリンク送信期間に関わるサブフレームの数をシグナリングする、Ｃ１に記載の方法。
［Ｃ３］
前記ダウンリンク送信期間の間に、次のアップリンク送信期間の第２のインジケータを非同期的に受信することをさらに備える、Ｃ１に記載の方法。
［Ｃ４］
前記第２のインジケータまたは前記インジケータの少なくとも１つは、ダウンリンク制御情報（ＤＣＩ）において受信される、Ｃ３に記載の方法。
［Ｃ５］
前記最小限のダウンリンク送信期間の終了の前に前記コンテンション・ベースのキャリアに関わる前記ＵＥにおいてアップリンク・グラントを受信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいて送信することと、をさらに備える、Ｃ１に記載の方法。
［Ｃ６］
前記少なくとも１つのアップリンク・サブフレームの後にダウンリンク・チャネル使用ビーコン信号（ＣＵＢＳ）をモニタすることをさらに備える、Ｃ５に記載の方法。
［Ｃ７］
前記アップリンク・グラントは、前記コンテンション・ベースのキャリアまたは非コンテンション・キャリアのうちの１つにおいて受信される、Ｃ５に記載の方法。
［Ｃ８］
前記フレームの前記ダウンリンク部分の後にダウンリンク・チャネル使用ビーコン信号（ＣＵＢＳ）をモニタすることをさらに備える、Ｃ１に記載の方法。
［Ｃ９］
前記ＵＥが前記ダウンリンク部分の終了の前にアップリンク・グラントを受信しない場合に、前記ダウンリンク部分のダウンリンク・サブフレームの後に、および、
前記ＵＥが前記ダウンリンク・サブフレームの終了の前に前記アップリンク・グラントを受信する場合に、前記フレームの少なくとも１つのアップリンク・サブフレームの後に、チャネル使用ビーコン信号（ＣＵＢＳ）をモニタすることと、をさらに備える、Ｃ１に記載の方法。
［Ｃ１０］
ワイヤレス通信のための装置であって、
ユーザ機器（ＵＥ）におけるフレームのためのフレーム・フォーマット・インジケータを受信するための手段と、ここにおいて、前記インジケータは、コンテンション・ベースのキャリアに関わる最小限のダウンリンク送信期間を特定する、
前記フレームのダウンリンク部分を受信するための手段と、を備える、装置。
［Ｃ１１］
前記インジケータは、前記最小限のダウンリンク送信期間に関わるサブフレームの数をシグナリングする、Ｃ１０に記載の装置。
［Ｃ１２］
非同期に受信するための前記手段は、前記ダウンリンク送信期間の間に、次のアップリンク送信期間の第２のインジケータを受信する、Ｃ１０に記載の装置。
［Ｃ１３］
前記第２のインジケータまたは前記インジケータの少なくとも１つは、ダウンリンク制御情報（ＤＣＩ）において受信される、Ｃ１２に記載の装置。
［Ｃ１４］
前記最小限のダウンリンク送信期間の終了の前に前記コンテンション・ベースのキャリアに関わる前記ＵＥにおいてアップリンク・グラントを受信するための手段と、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいて送信するための手段と、をさらに備える、Ｃ１０に記載の装置。
［Ｃ１５］
ダウンリンク・チャネル使用ビーコン信号（Ｄ−ＣＵＢＳ）をモニタするための手段をさらに備え、ここにおいて、モニタするための前記手段は、
前記ＵＥが前記ダウンリンク部分の終了の前にアップリンク・グラントを受信しない場合に、前記ダウンリンク部分の前記ダウンリンク・サブフレームの後に、および、
前記ＵＥが前記ダウンリンク・サブフレームの終了の前に前記アップリンク・グラントを受信する場合に、前記フレームの少なくとも１つのアップリンク・サブフレームの後に、前記Ｄ−ＣＵＢＳをモニタするように構成されている、ここにおいて、前記アップリンク・グラントは、前記少なくとも１つのアップリンク・サブフレームを特定する、Ｃ１４に記載の装置。
［Ｃ１６］
ワイヤレス通信のための装置であって、
メモリと、
前記メモリに結合され、
ユーザ機器（ＵＥ）におけるフレームのためのフレーム・フォーマット・インジケータと、ここにおいて、前記インジケータは、コンテンション・ベースのキャリアに関わる最小限のダウンリンク送信期間を特定する、
前記フレームのダウンリンク部分を受信することと、を行うように構成されている少なくとも１つのプロセッサと、備える、装置。
［Ｃ１７］
前記インジケータは、前記最小限のダウンリンク送信期間に関わるサブフレームの数をシグナリングする、Ｃ１６に記載の装置。
［Ｃ１８］
前記少なくとも１つのプロセッサは、前記ダウンリンク送信期間の間に、次のアップリンク送信期間の第２のインジケータを非同期に受信するようにさらに構成されている、Ｃ１６に記載の装置。
［Ｃ１９］
前記第２のインジケータまたは前記インジケータの少なくとも１つは、ダウンリンク制御情報（ＤＣＩ）において受信される、Ｃ１８に記載の装置。
［Ｃ２０］
前記少なくとも１つのプロセッサは、
前記最小限のダウンリンク送信期間の終了の前に前記コンテンション・ベースのキャリアに関わる前記ＵＥにおけるアップリンク・グラントと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいて送信することと、を行うようにさらに構成されている、Ｃ１６に記載の装置。
［Ｃ２１］
前記少なくとも１つのプロセッサは、
前記ＵＥが前記ダウンリンク部分の終了の前にアップリンク・グラントを受信しない場合に、前記ダウンリンク部分の前記ダウンリンク・サブフレームの後に、および、
前記ＵＥが前記ダウンリンク・サブフレームの終了の前に前記アップリンク・グラントを受信する場合に、前記フレームの少なくとも１つのアップリンク・サブフレームの後に、ダウンリンク・チャネル使用ビーコン信号（Ｄ−ＣＵＢＳ）をモニタするようにさらに構成されており、ここにおいて、前記アップリンク・グラントは、前記少なくとも１つのアップリンク・サブフレームを特定する、Ｃ２０に記載の装置。
［Ｃ２２］
ワイヤレス通信のためのコンピュータ実行可能コードを記憶するコンピュータ可読媒体であって、
ユーザ機器（ＵＥ）におけるフレームのためのフレーム・フォーマット・インジケータを受信することと、ここにおいて、前記インジケータは、コンテンション・ベースのキャリアに関わる最小限のダウンリンク送信期間を特定する、
前記フレームのダウンリンク部分を受信することと、を行うためのコードを備える、コンピュータ可読媒体。
［Ｃ２３］
前記インジケータは、前記最小限のダウンリンク送信期間に関わるサブフレームの数をシグナリングする、Ｃ２２に記載のコンピュータ可読媒体。
［Ｃ２４］
前記ダウンリンク送信期間の間に、次のアップリンク送信期間の第２のインジケータを非同期に受信するためのコードをさらに備える、Ｃ２２に記載のコンピュータ可読媒体。
［Ｃ２５］
前記第２のインジケータまたは前記インジケータの少なくとも１つは、ダウンリンク制御情報（ＤＣＩ）において受信される、Ｃ２４に記載のコンピュータ可読媒体。
［Ｃ２６］
前記最小限のダウンリンク送信期間の終了の前に前記コンテンション・ベースのキャリアに関わる前記ＵＥにおいてアップリンク・グラントを受信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいて送信することと、を行うためのコードをさらに備える、Ｃ２２に記載のコンピュータ可読媒体。
［Ｃ２７］
前記ＵＥが前記ダウンリンク部分の終了の前にアップリンク・グラントを受信しない場合に、前記ダウンリンク部分の前記ダウンリンク・サブフレームの後に、および、
前記ＵＥが前記ダウンリンク・サブフレームの終了の前に前記アップリンク・グラントを受信する場合に、前記フレームの少なくとも１つのアップリンク・サブフレームの後に、ダウンリンク・チャネル使用ビーコン信号（Ｄ−ＣＵＢＳ）をモニタすることを行うためのコードをさらに備え、ここにおいて、前記アップリンク・グラントは、前記少なくとも１つのアップリンク・サブフレームを特定する、Ｃ２６に記載のコンピュータ可読媒体。
［Ｃ２８］
ワイヤレス通信の方法であって、
ユーザ機器（ＵＥ）において仮のグラント・アップリンク（ＵＬ）割り当てを受信することと、
前記仮のグラントＵＬ割り当てに基づいて、セカンダリ・コンポーネント・キャリア（ＳＣＣ）においてクリア・チャネル・アセスメント（ＣＣＡ）動作を実施することと、前記ＳＣＣは、コンテンション・ベースのキャリアである、
前記ＣＣＡ動作が成功する場合に前記ＳＣＣにおいてスケジュール要求（ＳＲ）を送信することと、
前記ＳＲに応答して前記ＳＣＣにおいてグラント承認を受信することと、
前記グラント承認を受信した後に前記ＳＣＣにおいてデータを送信することと、を備える、方法。
［Ｃ２９］
前記ＳＲは、シグネチャ・シーケンスを備え、前記グラント承認は、同じ前記シグネチャ・シーケンスを備える、Ｃ２８に記載の方法。
［Ｃ３０］
前記グラント承認は、前記ＣＣＡ動作から離間されている、Ｃ２８に記載の方法。
［Ｃ３１］
前記仮のグラントＵＬ割り当ておよび前記グラント承認は、コンテンション・ベースのキャリアにおいて受信される、Ｃ２８に記載の方法。
［Ｃ３２］
前記仮のグラントＵＬ割り当ては、非コンテンション・キャリアにおいて受信される、Ｃ２８に記載の方法。
［Ｃ３３］
ワイヤレス通信のための装置であって、
ユーザ機器（ＵＥ）において仮のグラント・アップリンク（ＵＬ）割り当てを受信するための手段と、
前記仮のグラントＵＬ割り当てに基づいて、セカンダリ・コンポーネント・キャリア（ＳＣＣ）においてクリア・チャネル・アセスメント（ＣＣＡ）動作を実施するための手段と、前記ＳＣＣは、コンテンション・ベースのキャリアである、
前記ＣＣＡ動作が成功する場合に前記ＳＣＣにおいてスケジュール要求（ＳＲ）を送信するための手段と、
前記ＳＲに応答して前記ＳＣＣにおいてグラント承認を受信するための手段と、
前記グラント承認を受信した後に前記ＳＣＣにおいてデータを送信するための手段と、を備える、装置。
［Ｃ３４］
前記ＳＲは、シグネチャ・シーケンスを備え、前記グラント承認は、同じ前記シグネチャ・シーケンスを備える、Ｃ３３に記載の装置。
［Ｃ３５］
ワイヤレス通信のための装置であって、
メモリと、
前記メモリに結合され、
ユーザ機器（ＵＥ）において仮のグラント・アップリンク（ＵＬ）割り当てを受信することと、
前記仮のグラントＵＬ割り当てに基づいて、セカンダリ・コンポーネント・キャリア（ＳＣＣ）においてクリア・チャネル・アセスメント（ＣＣＡ）動作を実施することと、前記ＳＣＣは、コンテンション・ベースのキャリアである、
前記ＣＣＡ動作が成功する場合に前記ＳＣＣにおいてスケジュール要求（ＳＲ）を送信することと、
前記ＳＲに応答して前記ＳＣＣにおいてグラント承認を受信することと、
前記グラント承認を受信した後に前記ＳＣＣにおいてデータを送信することと、を行うように構成されている、少なくとも１つのプロセッサと、を備える、装置。
［Ｃ３６］
前記ＳＲは、シグネチャ・シーケンスを備え、前記グラント承認は、同じ前記シグネチャ・シーケンスを備える、Ｃ３５に記載の装置。
［Ｃ３７］
ワイヤレス通信のためのコンピュータ実行可能コードを記憶するコンピュータ可読媒体であって、
ユーザ機器（ＵＥ）において仮のグラント・アップリンク（ＵＬ）割り当てを受信することと、
前記仮のグラントＵＬ割り当てに基づいて、セカンダリ・コンポーネント・キャリア（ＳＣＣ）においてクリア・チャネル・アセスメント（ＣＣＡ）動作を実施することと、前記ＳＣＣは、コンテンション・ベースのキャリアである、
前記ＣＣＡ動作が成功する場合に前記ＳＣＣにおいてスケジュール要求（ＳＲ）を送信することと、
前記ＳＲに応答して前記ＳＣＣにおいてグラント承認を受信することと、
前記グラント承認を受信した後に前記ＳＣＣにおいてデータを送信することと、を行うためのコードを備える、コンピュータ可読媒体。
［Ｃ３８］
前記ＳＲは、シグネチャ・シーケンスを備え、前記グラント承認は、同じ前記シグネチャ・シーケンスを備える、Ｃ３７に記載のコンピュータ可読媒体。
［Ｃ３９］
ワイヤレス通信の方法であって、
フレームのためのフレーム・フォーマット・インジケータを送信することと、ここにおいて、前記フレーム・フォーマット・インジケータは、コンテンション・ベースのキャリアに関わる最小限のダウンリンク送信期間を特定する、
前記フレームのダウンリンク部分を送信することと、を備える、方法。
［Ｃ４０］
前記ダウンリンク部分の終了の前に前記コンテンション・ベースのキャリアに関わるユーザ機器（ＵＥ）にアップリンク・グラントを送信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいてデータ送信を受信することと、を備える、Ｃ３９に記載の方法。
［Ｃ４１］
前記アップリンク・グラントは、前記コンテンション・ベースのキャリアまたは非コンテンション・キャリアのうちの１つにおいて送信される、Ｃ４０に記載の方法。
［Ｃ４２］
ワイヤレス通信のための装置であって、
フレームのためのフレーム・フォーマット・インジケータを送信することと、ここにおいて、前記フレーム・フォーマット・インジケータは、コンテンション・ベースのキャリアに関わる最小限のダウンリンク送信期間を特定する、前記フレームのダウンリンク部分を送信することと、を行うための手段を備える、装置。
［Ｃ４３］
前記送信するための手段は、前記ダウンリンク部分の終了の前に前記コンテンション・ベースのキャリアに関わるユーザ機器（ＵＥ）にアップリンク・グラントを送信し、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、前記装置はさらに、
前記アップリンク・グラントにしたがって前記アップリンク・リソースにおいてデータ送信を受信するための手段を備える、Ｃ４２に記載の装置。
［Ｃ４４］
ワイヤレス通信のための装置であって、
メモリと、
前記メモリに結合され、
フレームのためのフレーム・フォーマット・インジケータを送信することと、ここにおいて、前記フレーム・フォーマット・インジケータは、コンテンション・ベースのキャリアに関わる最小限のダウンリンク送信期間を特定する、
前記フレームのダウンリンク部分を送信することと、を行うように構成されている少なくとも１つのプロセッサと、を備える、装置。
［Ｃ４５］
前記少なくとも１つのプロセッサは、
前記ダウンリンク部分の終了の前に前記コンテンション・ベースのキャリアに関わるユーザ機器（ＵＥ）にアップリンク・グラントを送信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記アップリンク・リソースにおいてデータ送信を受信することをさらに構成されている、Ｃ４４に記載の装置。
［Ｃ４６］
ワイヤレス通信のためのコンピュータ実行可能コードを記憶するコンピュータ可読媒体であって、
フレームのためのフレーム・フォーマット・インジケータを送信することと、ここにおいて、前記フレーム・フォーマット・インジケータは、コンテンション・ベースのキャリアに関わる最小限のダウンリンク送信期間を特定する、
前記フレームのダウンリンク部分を送信することと、を行うためのコードを備える、コンピュータ可読媒体。
［Ｃ４７］
前記ダウンリンク部分の終了の前に前記コンテンション・ベースのキャリアに関わるユーザ機器（ＵＥ）にアップリンク・グラントを送信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記アップリンク・リソースにおいてデータ送信を受信することと、を行うためのコードをさらに備える、Ｃ４６に記載のコンピュータ可読媒体。
［Ｃ４８］
ワイヤレス通信の方法であって、
ユーザ機器（ＵＥ）のセットに仮のグラント・アップリンク（ＵＬ）割り当てを送信することと、前記セットは、１つまたは複数のＵＥを含む、
セカンダリ・コンポーネント・キャリア（ＳＣＣ）において１つまたは複数のスケジュール要求（ＳＲ）を検出することと、前記ＳＣＣは、１つまたは複数の仮のグラントＵＬ割り当て送信に応答して、コンテンション・ベースのキャリアである、
前記検出された１つまたは複数のＳＲに応答して、前記ＳＣＣにおいて１つまたは複数のグラント承認を送信することと、を備える、方法。
［Ｃ４９］
各ＳＲは、固有のシグネチャ・シーケンスを備え、
前記１つまたは複数のグラント承認の各々は、選択されたＵＥに対応するシグネチャ・シーケンスを備える、Ｃ４８に記載の方法。
［Ｃ５０］
前記グラント承認は、前記ＳＲから離間されている、Ｃ４８に記載の方法。
［Ｃ５１］
前記仮のグラントＵＬ割り当ておよび前記グラント承認は、コンテンション・ベースのキャリアにおいて送信される、Ｃ４８に記載の方法。
［Ｃ５２］
前記仮のグラントＵＬ割り当ては、非コンテンション・キャリアにおいて送信される、Ｃ４８に記載の方法。
［Ｃ５３］
ワイヤレス通信のための装置であって、
ユーザ機器（ＵＥ）のセットに仮のグラント・アップリンク（ＵＬ）割り当てを送信するための手段と、前記セットは、１つまたは複数のＵＥを含む、
１つまたは複数の仮のグラントＵＬ割り当て送信に応答して、コンテンション・ベースのキャリアであるセカンダリ・コンポーネント・キャリア（ＳＣＣ）において１つまたは複数のスケジュール要求（ＳＲ）を検出するための手段と、
前記検出された１つまたは複数のＳＲに応答して、前記ＳＣＣにおいて１つまたは複数のグラント承認を送信するための手段と、を備える、装置。
［Ｃ５４］
各ＳＲは、固有のシグネチャ・シーケンスを備え、
前記１つまたは複数のグラント承認の各々は、選択されたＵＥに対応するシグネチャ・シーケンスを備える、Ｃ５３に記載の装置。
［Ｃ５５］
前記グラント承認は、前記ＳＲから離間されている、Ｃ５３に記載の装置。
［Ｃ５６］
ワイヤレス通信のための装置であって、
メモリと、
前記メモリに結合され、
ユーザ機器（ＵＥ）のセットに仮のグラント・アップリンク（ＵＬ）割り当てを送信することと、前記セットは、１つまたは複数のＵＥを含む、
前記ＳＣＣは、１つまたは複数の仮のグラントＵＬ割り当て送信に応答して、コンテンション・ベースのキャリアであるセカンダリ・コンポーネント・キャリア（ＳＣＣ）において１つまたは複数のスケジュール要求（ＳＲ）を検出することと、
前記検出された１つまたは複数のＳＲに応答して、前記ＳＣＣにおいて１つまたは複数のグラント承認を送信することと、を行うように構成されている少なくとも１つのプロセッサと、を備える、装置。
［Ｃ５７］
各ＳＲは、固有のシグネチャ・シーケンスを備え、
前記１つまたは複数のグラント承認の各々は、選択されたＵＥに対応するシグネチャ・シーケンスを備える、Ｃ５６に記載の装置。
［Ｃ５８］
前記グラント承認は、前記ＳＲから離間されている、Ｃ５６に記載の装置。
［Ｃ５９］
ワイヤレス通信のためのコンピュータ実行可能コードを記憶するコンピュータ可読媒体であって、
ユーザ機器（ＵＥ）のセットに仮のグラント・アップリンク（ＵＬ）割り当てを送信することと、前記セットは、１つまたは複数のＵＥを含む、
１つまたは複数の仮のグラントＵＬ割り当て送信に応答して、コンテンション・ベースのキャリアであるセカンダリ・コンポーネント・キャリア（ＳＣＣ）において１つまたは複数のスケジュール要求（ＳＲ）を検出することと、
前記検出された１つまたは複数のＳＲに応答して、前記ＳＣＣにおいて１つまたは複数のグラント承認を送信することと、を行うためのコードを備える、コンピュータ可読媒体。
［Ｃ６０］
各ＳＲは、固有のシグネチャ・シーケンスを備え、
前記１つまたは複数のグラント承認の各々は、選択されたＵＥに対応するシグネチャ・シーケンスを備える、Ｃ５９に記載のコンピュータ可読媒体。
［Ｃ６１］
前記グラント承認は、前記ＳＲから離間されている、Ｃ５９に記載のコンピュータ可読媒体。
【図１】
0006686044.tif 000002
【図２Ａ】
0006686044.tif 000003
【図２Ｂ】
0006686044.tif 000004
【図３】
0006686044.tif 000005
【図４】
0006686044.tif 000006
【図５】
0006686044.tif 000007
【図６】
0006686044.tif 000008
【図７】
0006686044.tif 000009
【図８】
0006686044.tif 000010
【図９】
0006686044.tif 000011
【図１０】
0006686044.tif 000012
【図１１】
0006686044.tif 000013
【図１２】
0006686044.tif 000014
【図１３】
0006686044.tif 000015
【図１４】
0006686044.tif 000016
【図１５】
0006686044.tif 000017
【図１６】
0006686044.tif 000018
【図１７】
0006686044.tif 000019
【図１８Ａ】
0006686044.tif 000020
【図１８Ｂ】
0006686044.tif 000021
【図１８Ｃ】
0006686044.tif 000022
【図１９】
0006686044.tif 000023
【図２０】
0006686044.tif 000024
【図２１】
0006686044.tif 000025
【図２２】
0006686044.tif 000026